(57)【要約】【課題】遊技興趣をより高める演出を実行可能な遊技機を提供する。【解決手段】本発明の遊技機では、識別情報の変動表示が１回行われる間に、複数種類の単位演出のうち一部の単位演出しか実行されない場合は、「複数種類の単位演出のうち一部の単位演出とは別の単位演出に係る情報を表示する別表示演出」を実行することとしている。こうすると、複数種類の単位演出のうち一部の単位演出しか実行されないタイミング、すなわち、複数種類の単位演出のうち一部の単位演出の内容を遊技者がより明確に覚えているタイミングで、「複数種類の単位演出として別の単位演出も行われる」ことを遊技者に認識させることができる。【選択図】図１８
2020203207.tif 000002
【特許請求の範囲】
【請求項１】
識別情報を変動表示させる識別情報表示手段と、
前記識別情報が特定態様で表示された場合に、遊技者に特典を付与する特典付与手段と、
を備え、
前記識別情報の変動表示中に、実行順序が予め定められた複数種類の単位演出を実行可能であり、
前記識別情報の変動表示中に、前記複数種類の単位演出のうち一部の単位演出しか実行されない場合は、
前記複数種類の単位演出のうち前記一部の単位演出とは別の単位演出に係る情報を表示する別表示演出を実行可能である
ことを特徴とする遊技機。
【請求項２】
請求項１に記載の遊技機において、
前記別表示演出を実行するに際しては、前記一部の単位演出の実行中は表示されない枠画像を表示するものであり、
前記別表示演出は、前記枠画像が示す表示領域に表示される
ことを特徴とする遊技機。
【発明の詳細な説明】
【技術分野】
【０００１】
本発明は、遊技盤に形成された遊技領域に向けて遊技球を発射することによって遊技を行う遊技機（パチンコ機）に関する。
【背景技術】
【０００２】
遊技盤に形成された遊技領域に向けて遊技球を発射することによって遊技を行う遊技機が知られている。このような遊技機では、所定の付与条件が成立すると、遊技者に特典を付与する。例えば、遊技領域に設けられた始動口に遊技球が入球すると、識別情報（例えば特別図柄など）を変動表示させ、該識別情報が特定態様（例えば大当り図柄など）で停止表示されると、可変入球口が入球可能状態となる特定遊技（例えば大当り遊技など）を行う遊技機が存在する。
【０００３】
このような遊技機では、種々の演出を行うことが一般的である。例えば、上述した特定遊技を行う遊技機では、識別情報の変動表示中に、該識別情報が特定態様で表示される可能性を示唆すべく、キャラクターを表示する演出が行われる（特許文献１）。
【先行技術文献】
【特許文献】
【０００４】
【特許文献１】特開２００８−１７８７５６号公報
【発明の概要】
【発明が解決しようとする課題】
【０００５】
しかしながら、上述した従来の技術は、一般的な遊技者にとって周知の技術であり、遊技興趣を十分に高めることができないという問題があった。
【０００６】
本発明は、上述した課題を解決するためになされたものであり、遊技興趣をより高める演出を実行可能な遊技機を提供することを目的とする。
【課題を解決するための手段】
【０００７】
上述した課題の少なくとも一部を解決するために、本発明の遊技機は次の構成を採用した。すなわち、
識別情報を変動表示させる識別情報表示手段と、
前記識別情報が特定態様で表示された場合に、遊技者に特典を付与する特典付与手段と、
を備え、
前記識別情報の変動表示中に、実行順序が予め定められた複数種類の単位演出を実行可能であり、
前記識別情報の変動表示中に、前記複数種類の単位演出のうち一部の単位演出しか実行されない場合は、
前記複数種類の単位演出のうち前記一部の単位演出とは別の単位演出に係る情報を表示する別表示演出を実行可能である
ことを特徴とする。
【０００８】
また、本発明の遊技機は、
前記別表示演出を実行するに際しては、前記一部の単位演出の実行中は表示されない枠画像を表示するものであり、
前記別表示演出は、前記枠画像が示す表示領域に表示される
こととしてもよい。
【発明の効果】
【０００９】
本発明によれば、遊技興趣をより高める演出を行うことができる。
【図面の簡単な説明】
【００１０】
【図１】本実施例のパチンコ機の正面図である。
【図２】本実施例の遊技盤の盤面構成を示す説明図である。
【図３】本実施例のパチンコ機における制御回路の構成を示すブロック図である。
【図４】本実施例のセグメント表示部の構成を示す説明図である。
【図５】本実施例の大当り遊技におけるラウンド遊技回数を示す説明図である。
【図６】本実施例の大当り遊技終了後の遊技状態を示す説明図である。
【図７】本実施例の演出表示装置４１の表示内容を例示する説明図である。
【図８】本実施例の主制御基板のＣＰＵによって実行される遊技制御処理を示すフローチャートである。
【図９】本実施例の変動パターン選択テーブルを概念的に示す説明図である。
【図１０】本実施例の変動パターン選択テーブルの種類を示す説明図である。
【図１１】本実施例のサブ制御基板のＣＰＵによって実行される演出制御処理を示すフローチャートである。
【図１２】本実施例のサブ制御基板のＣＰＵの受信コマンドに対応する処理を示す説明図である。
【図１３】本実施例のレース演出が行われる様子を示す説明図である。
【図１４】本実施例のステップアップ予告演出が行われる様子を示す説明図である。
【図１５】本実施例のステップアップ予告演出が行われる様子を示す説明図である。
【図１６】本実施例のステップアップ予告演出のレース演出期待度を示す説明図である。
【図１７】本実施例の「別表示演出」で表示される内容を示す説明図である。
【図１８】本実施例の「別表示演出」が行われる様子を示す説明図である。
【図１９】本実施例の「４段階目の単位演出まで行われるステップアップ予告演出」が行われた場合の表示内容を示す説明図である。
【図２０】「別表示演出」が識別図柄４１ａ，４１ｂ，４１ｃの変動表示に並行して行われる様子を示す説明図である。
【図２１】サブ制御基板２２０のＣＰＵ２２１によって実行される別表示演出実行処理を示すフローチャートである。
【図２２】本実施例の「選択演出」が行われる様子を示す説明図である。
【発明を実施するための形態】
【００１１】
上述した本発明の内容を明確にするために、本発明を「セブン機」や「デジパチ」と呼ばれるタイプのパチンコ機（遊技機）に適用した実施例について説明する。尚、実施例においては、特に断りがない限りは、パチンコ機正面に向かって右側を「右」と表現し、左側を「左」と表現する。
【００１２】
また、以下の実施例は次のような順序に従って説明する。
Ａ．パチンコ機の装置構成：
Ａ−１．装置前面側の構成：
Ａ−２．遊技盤の構成：
Ａ−３．制御回路の構成：
Ｂ．遊技の内容：
Ｃ．遊技制御処理：
Ｄ．演出制御処理：
Ｅ．レース演出：
Ｆ．ステップアップ予告演出：
Ｇ．別表示演出：
Ｇ−１．別表示演出の概要：
Ｇ−２．別表示演出実行処理：
Ｈ．変形例：
Ｈ−１．変形例１：
Ｈ−２．変形例２：
【００１３】
Ａ．パチンコ機の装置構成  ：
Ａ−１．装置前面側の構成  ：
図１は、本実施例のパチンコ機１の正面図である。図１に示すように、パチンコ機１の前面部には、前面枠４が設けられている。前面枠４は、一端（図１における左側）が中枠３に対して回動可能に軸支されている。中枠３の前面側には遊技盤２０（図２参照）が着脱可能に取り付けられており、前面枠４が中枠３に対してパチンコ機１前方側に回動（開放）されると、遊技盤２０が露出された状態となる。中枠３は、一端（図１における左側）が本体枠２に対して回動可能に軸支されている。本体枠２は、木製の板状部材を組み立てて構成された略長方形の枠体であり、パチンコ機１の外枠を形成している。
【００１４】
前面枠４の略中央部には窓部４ａが形成されており、この窓部４ａにはガラス板等の透明板４ｂが嵌め込まれている。遊技者は、窓部４ａ（透明板４ｂ）を通して奥側に配置される遊技盤２０の遊技領域を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部を視認可能である。詳しくは後述するが、セグメント表示部とは、複数のＬＥＤの組合せによって遊技に係る情報を表示する表示部である。
【００１５】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４における窓部４ａの左右上方には上部スピーカー６ａが設けられており、本体枠２の下部の前面には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００１６】
前面枠４における窓部４ａの下方には、上皿部７が設けられている。上皿部７には、カードユニット２４２（図３参照）を介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００１７】
前面枠４における下皿部８の右方には、発射ハンドル９が設けられている。発射ハンドル９の回転軸は、発射ハンドル９の奥側に搭載された発射装置ユニット２６１（図３参照）に接続されている。この発射装置ユニット２６１には、上皿部７に貯留された遊技球が供給される。遊技者が発射ハンドル９を回転させると、その回転が発射装置ユニット２６１に伝達され、発射装置ユニット２６１に内蔵された発射モーターが回転して、回転角度に応じた強さで遊技球が発射される。
【００１８】
また、上皿部７の縁部には遊技者による押下操作が可能な演出ボタン１０ａが設けられており、下皿部８の左方には遊技者による押込操作や回転操作（回転させる操作）が可能なジョグシャトル１０ｂが設けられている。これらの演出ボタン１０ａやジョグシャトル１０ｂは、何れも遊技者によって操作される演出操作部（操作部）であり、所定の条件成立時に遊技者によって操作されると、所定の遊技演出が行われる。
【００１９】
Ａ−２．遊技盤の構成  ：
図２は、遊技盤２０の盤面構成を示す説明図である。前述したように、遊技盤２０は中枠３の前面側に着脱可能に取り付けられている。図２に示すように、遊技盤２０の中央には略円形状の遊技領域２１が形成されている。発射装置ユニット２６１（図３参照）から発射された遊技球は、外レール２２と内レール２３との間を通って遊技領域２１に放出され、遊技領域２１の上方から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００２０】
遊技領域２１の略中央には周縁部に装飾が施された開口部である演出用開口部４０が設けられており、この演出用開口部４０の後方には液晶表示器によって構成された演出表示装置４１が設けられている。演出表示装置４１の表示画面上には、演出用の種々の画像を表示することが可能であり、遊技者は、演出用開口部４０を通して演出表示装置４１の表示画面を視認することができる。
【００２１】
遊技領域２１における演出用開口部４０（演出表示装置４１）の下方には、入球口の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサー２４ｓ（図３参照）が設けられており、第１始動口２４に入球した遊技球を検知可能である。
【００２２】
また、遊技領域２１における第１始動口２４の下方には、遊技球の入球可能性が変化する入球口（始動口）である第２始動口２５が設けられている。すなわち、第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図２では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサー２５ｓ（図３参照）が設けられており、第２始動口２５に入球した遊技球を検知可能である。
【００２３】
また、遊技領域２１において演出用開口部４０（演出表示装置４１）の右方には、普通図柄作動ゲート２７が設けられており、普通図柄作動ゲート２７の内部には、遊技球の通過を検知するゲートセンサー２７ｓ（図３参照）が設けられている。
【００２４】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態（入球可能状態）とに変化可能である。図２では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサー２８ｓ（図３参照）が設けられており、大入賞口２８に入球した遊技球を検知可能である。
【００２５】
また、上述した各遊技装置の周辺には、遊技球が入球可能な一般入球口３０や、遊技球の流下経路に影響を与える風車型ホイール３１や多数の障害釘（図示省略）が設けられている。また、遊技領域２１の最下部であって第２始動口２５の左下方と右下方には、２つのアウト口３３が設けられており、上述した第１始動口２４、第２始動口２５、大入賞口２８、一般入球口３０の何れにも入球しなかった遊技球は、アウト口３３から遊技盤２０の裏側に排出される。
【００２６】
上述した第１始動口２４には、演出用開口部４０（演出表示装置４１）の左方の領域を流下する遊技球が入球可能である。これに対して、第２始動口２５、普通図柄作動ゲート２７、大入賞口２８には、演出用開口部４０（演出表示装置４１）の右方の領域を流下する遊技球が入球可能（または通過可能）である。以下では、演出用開口部４０（演出表示装置４１）の左方の領域を流下するように遊技球を発射させることを「左打ち」とも表現し、演出用開口部４０（演出表示装置４１）の右方の領域を流下するように遊技球を発射させることを「右打ち」とも表現する。尚、本実施例のパチンコ機１では、第１始動口２４、第２始動口２５、一般入球口３０の何れかに遊技球が入球した場合は、３個の遊技球が遊技者に払い出され、大入賞口２８に遊技球が入球した場合は、１３個の遊技球が遊技者に払い出される。
【００２７】
遊技盤２０における遊技領域２１の右下方には、ＬＥＤの組合せによって遊技に係る情報を表示するセグメント表示部５０が設けられている。セグメント表示部５０は、前面枠４に設けられた小窓部４ｃ（図１参照）を通して遊技者に視認される。尚、セグメント表示部５０の詳しい表示内容については、後述する「Ｂ．遊技の内容」欄において説明する。
【００２８】
Ａ−３．制御回路の構成  ：
次に、本実施例のパチンコ機１における制御回路の構成について説明する。図３は、本実施例のパチンコ機１における制御回路の構成を示したブロック図である。図示されているようにパチンコ機１の制御回路は、多くの制御基板や、各種基板、中継端子板などから構成されている。詳しくは、遊技の基本的な進行に係る制御を司る主制御基板２００と、遊技の演出に係る制御を司るサブ制御基板２２０と、サブ制御基板２２０の制御下で画像の表示や音声の出力に係る制御を司る画像音声制御基板２３０と、サブ制御基板２２０の制御下でランプの発光に係る制御を司るランプ制御基板２２６と、遊技球の貸し出しや払い出しに係る制御を司る払出制御基板２４０と、遊技球の発射に係る制御を司る発射制御基板２６０などから構成されている。これら制御基板は、各種論理演算および算出演算を実行するＣＰＵ（図３におけるＣＰＵ２０１、２２１、２３１等）や、ＣＰＵで実行される各種プログラムやデータが記憶されているＲＯＭ（図３におけるＲＯＭ２０２、２２２、２３２等）、プログラムの実行に際してＣＰＵが一時的なデータを記憶するＲＡＭ（図３における２０３、２２３、２３３等）、入出力用回路など、種々の周辺ＬＳＩがバスで相互に接続されて構成されている。
【００２９】
主制御基板２００には、第１始動口２４へ入球した遊技球を検知する第１始動口センサー２４ｓや、第２始動口２５へ入球した遊技球を検知する第２始動口センサー２５ｓ、大入賞口２８へ入球した遊技球を検知する大入賞口センサー２８ｓ、普通図柄作動ゲートを通過する遊技球を検知するゲートセンサー２７ｓなどが接続されている。主制御基板２００のＣＰＵ２０１は、第１始動口センサー２４ｓや、第２始動口センサー２５ｓ、大入賞口センサー２８ｓ、ゲートセンサー２７ｓなどから遊技球の検知信号の入力があると、その検知信号の入力のあったセンサーに対応するコマンドを、サブ制御基板２２０や、払出制御基板２４０、発射制御基板２６０などに向けて送信する。
【００３０】
また、主制御基板２００には、第２始動口２５に設けられた開閉扉２６に開閉動作を行わせるための（第２始動口２５を開放状態、閉鎖状態にするための）始動口ソレノイド２６ｍや、大入賞口２８に設けられた開閉扉２９に開閉動作を行わせるための（大入賞口２８を開放状態、閉鎖状態にするための）大入賞口ソレノイド２９ｍ、セグメント表示部５０などが接続されている。主制御基板２００のＣＰＵ２０１は、始動口ソレノイド２６ｍ、大入賞口ソレノイド２９ｍ、セグメント表示部５０に向けて駆動信号を送信することにより、これらの動作の制御を行う。
【００３１】
サブ制御基板２２０には、画像音声制御基板２３０や、ランプ制御基板２２６、演出操作基板２２８が接続されている。サブ制御基板２２０のＣＰＵ２２１は、主制御基板２００からの各種コマンドを受信すると、コマンドの内容を解析して、その内容に応じた遊技演出を行う。すなわち、画像音声制御基板２３０に対しては、出力画像や、出力音声を指定するコマンドを送信し、ランプ制御基板２２６に対しては、上部ランプ５ａ、右サイドランプ５ｂ、左サイドランプ５ｃ（以下「各種ランプ５ａ〜５ｃ」ともいう）の発光パターンを指定するコマンドを送信することによって、遊技の演出を行う。また、サブ制御基板２２０のＣＰＵ２２１は、演出操作基板２２８を介して、演出ボタン１０ａやジョグシャトル１０ｂ（演出操作部１０ａ，１０ｂ）に対する遊技者の操作を検知すると、該操作に対応する遊技演出を行う。
【００３２】
画像音声制御基板２３０は、ＣＰＵ２３１、ＲＯＭ２３２、ＲＡＭ２３３に加えて、ＶＤＰ２３４、画像ＲＯＭ２３６、音声ＲＯＭ２３７を備えている。また、画像音声制御基板２３０には、演出表示装置４１、音声を増幅させるアンプ基板２２４などが接続されている。
【００３３】
画像音声制御基板２３０のＣＰＵ２３１は、サブ制御基板２２０からコマンドを受信すると、そのコマンドに対応する画像の表示をＶＤＰ２３４に指示する。ＶＤＰ２３４は、指示された画像の表示に利用する画像データ（例えば、スプライトデータや動画データなど）を画像ＲＯＭ２３６から読み出して画像を生成し、演出表示装置４１の表示画面に出力する。また、画像音声制御基板２３０のＣＰＵ２３１は、サブ制御基板２２０からコマンドを受信すると、そのコマンドに対応する音声データを音声ＲＯＭ２３７から読み出して、該音声データに基づく音声を、アンプ基板２２４を介して、上部スピーカー６ａおよび下部スピーカー６ｂ（以下「各種スピーカー６ａ，６ｂ」ともいう）から出力する。
【００３４】
払出制御基板２４０には、上皿部７に設けられた球貸ボタン２４１（図１では図示省略）や、パチンコ機１に並設されたカードユニット２４２、払出モーター２４３などが接続されている。球貸ボタン２４１が操作されると、この信号は、払出制御基板２４０を介してカードユニット２４２に伝達される。カードユニット２４２は、払出制御基板２４０とデータを通信しながら、払出モーター２４３を駆動して遊技球の貸し出しを行う。また、主制御基板２００から遊技球の払い出しを指示する払出コマンドを受信した場合も、払出モーター２４３を駆動して遊技球の払い出しを行う。
【００３５】
また、払出制御基板２４０には発射制御基板２６０が接続されており、発射制御基板２６０には、遊技球を発射させるための発射モーター２６２や遊技者が発射ハンドル９に触れていることを検知するタッチスイッチ２６３等を有する発射装置ユニット２６１が接続されている。発射制御基板２６０は、タッチスイッチ２６３を介して遊技者が発射ハンドル９に触れていることを検知すると、発射モーター２６２を駆動することによって、発射ハンドル９の回転角度に応じた強さで遊技球を発射する。
【００３６】
Ｂ．遊技の内容  ：
本実施例のパチンコ機１では、次のようにして遊技が進行する。上皿部７に遊技球が貯留された状態で発射ハンドル９が回転されると、上皿部７に貯留された遊技球が１球ずつ発射装置ユニット２６１に供給されて、図２を用いて前述した遊技領域２１に発射される。遊技球を打ち出す強さは発射ハンドル９の回転角度に対応するので、遊技者は発射ハンドル９の回転角度を変化させることによって、遊技者は所望する領域に遊技球を流下させることができる。例えば、演出用開口部４０（演出表示装置４１）の左方の領域を流下するように遊技球を発射させたり（左打ちを行ったり）、演出用開口部４０（演出表示装置４１）の右方の領域を流下するように遊技球を発射させたり（右打ちを行ったり）することができる。
【００３７】
＜特別図柄の変動表示＞
図２を用いて前述したように、第１始動口２４には左打ちされた遊技球が入球可能である。左打ちされた遊技球が第１始動口２４に入球し、その入球した遊技球が第１始動口センサー２４ｓにより検知されると、所定の判定乱数（後述する大当り判定乱数など）を取得し、該判定乱数に基づいて大当りであるか外れであるかを判定する大当り判定を行う。そして、この大当り判定の結果に基づいて、第１の特別図柄（以下「第１特図」ともいう）を変動表示させた後に停止表示させる。また、図２を用いて前述したように、第２始動口２５には右打ちされた遊技球が入球可能である。右打ちされた遊技球が第２始動口２５に入球し、その入球した遊技球が第２始動口センサー２５ｓにより検知されると、所定の判定乱数（後述する大当り判定乱数など）を取得し、該判定乱数に基づいて大当りであるか外れであるかを判定する大当り判定を行う。そして、この大当り判定の結果に基づいて、第２の特別図柄（以下「第２特図」ともいう）を変動表示させた後に停止表示させる。ここで、第１特図、第２特図について説明する。
【００３８】
図４は、セグメント表示部５０を拡大して示す説明図である。前述したように、セグメント表示部５０は遊技盤２０における遊技領域２１の右下方に設けられており（図２参照）、遊技者は前面枠４の小窓部４ｃ（図１参照）を通してセグメント表示部５０を視認可能である。図４に示すように、セグメント表示部５０には、第１特図を表示する第１特図表示部５１と、第２特図を表示する第２特図表示部５２が設けられており、これらの表示部にはそれぞれ８個のＬＥＤが配置されている。第１特図および第２特図（以下、これらを特に区別をしない場合は、まとめて「特別図柄」という）は、それぞれの表示部において、８個のＬＥＤのうち点灯するＬＥＤを切り替えることによって変動表示され、８個のＬＥＤのうち所定のＬＥＤを点灯した状態とすることで停止表示される。本実施例のパチンコ機１では、第１特図として、大当り図柄１〜１００、外れ図柄１０１の１０１種類の図柄を停止表示可能であり、第２特図として、大当り図柄２０１〜３００、外れ図柄３０１の１０１種類の図柄を停止表示可能である。また、これらの図柄の種類は、点灯するＬＥＤの組合せの相違によって識別可能である。遊技球が第１始動口２４に入球することに基づく大当り判定（以下「第１特図についての大当り判定」ともいう）の結果が大当りである場合は、第１特図が大当り図柄１〜１００の何れかで停止表示され、第１特図についての大当り判定の結果が外れである場合は、第１特図が外れ図柄１０１で停止表示される。また、遊技球が第２始動口２５に入球することに基づく大当り判定（以下「第２特図についての大当り判定」ともいう）の結果が大当りである場合は、第２特図が大当り図柄２０１〜３００の何れかで停止表示され、第２特図についての大当り判定の結果が外れである場合は第２特図が外れ図柄３０１で停止表示される。こうして特別図柄（第１特図または第２特図）を大当り図柄または外れ図柄で停止表示したら、停止表示された図柄を確定させるべく、図柄が停止表示された状態を所定の時間が経過するまで維持する表示（以下「確定表示」ともいう）を行う。以下では、特別図柄が変動表示を開始してから、所定の変動時間の経過により当該変動表示が終了して、特別図柄が大当り図柄または外れ図柄で確定表示されるまでの遊技、すなわち１回の変動表示の結果が得られるまでの遊技を「図柄変動遊技」とも表現する。
【００３９】
＜大当り遊技＞
第１特図または第２特図が何れかの大当り図柄で停止表示されると、大入賞口２８が開放状態となるラウンド遊技が複数回行われる大当り遊技を開始する。図２を用いて前述したように、大入賞口２８には右打ちされた遊技球が入球可能であるので、大当り遊技中は右打ちが行われることとなる。
【００４０】
本実施例のパチンコ機１では、停止表示された大当り図柄の種類によって、１回の大当り遊技におけるラウンド遊技の回数が異なる。すなわち、図５（ａ）に示すように、第１特図が大当り図柄１〜５０で停止表示された場合は（第１特図が大当り図柄で停止表示される場合は５０％の確率で）、４回のラウンド遊技が行われる４ラウンド大当り遊技が行われ、第１特図が大当り図柄５１〜９０で停止表示された場合は（第１特図が大当り図柄で停止表示される場合は４０％の確率で）、６回のラウンド遊技が行われる６ラウンド大当り遊技が行われ、第１特図が大当り図柄９１〜９４で停止表示された場合は（第１特図が大当り図柄で停止表示される場合は４％の確率で）、７回のラウンド遊技が行われる７ラウンド大当り遊技が行われ、第１特図が大当り図柄９５〜１００で停止表示された場合は（第１特図が大当り図柄で停止表示される場合は６％の確率で）、１６回のラウンド遊技が行われる１６ラウンド大当り遊技が行われる。また、図５（ｂ）に示すように、第２特図が大当り図柄２０１〜２５０で停止表示された場合は（第２特図が大当り図柄で停止表示される場合は５０％の確率で）４ラウンド大当り遊技が行われ、第２特図が大当り図柄２５１〜２９０で停止表示された場合は（第２特図が大当り図柄で停止表示される場合は４０％の確率で）６ラウンド大当り遊技が行われ、第２特図が大当り図柄２９１〜２９４で停止表示された場合は（第２特図が大当り図柄で停止表示される場合は４％の確率で）７ラウンド大当り遊技が行われ、第２特図が大当り図柄２９５〜３００で停止表示された場合は（第２特図が大当り図柄で停止表示される場合は６％の確率で）１６ラウンド大当り遊技が行われる。
【００４１】
本実施例のパチンコ機１において、１回のラウンド遊技は、９個の遊技球が入球した場合（９カウント）または３０秒が経過した場合に終了するので、ほとんどの場合において１回のラウンド遊技では１１７個（９カウント×払出数１３個）の遊技球が払い出される。従って、当然ながら、ラウンド遊技回数の多い大当り遊技の方が、ラウンド遊技回数が少ない大当り遊技よりも遊技者に多くの遊技球が払い出されることとなる。このため、ラウンド遊技回数のより多い大当り遊技が行われることを遊技者に期待させることができる。尚、このことは、遊技者にとっての有利度合が互いに異なる複数の大当り遊技（特定遊技）を実行可能であると捉えることができる。
【００４２】
上述した大当り遊技の実行中は、セグメント表示部５０のラウンド表示部５５に実行中の大当り遊技の種類（ラウンド遊技回数）が表示される。すなわち、図４に示すように、ラウンド表示部５５には３個のＬＥＤが配置されており、このラウンド表示部５５では、３個のＬＥＤのうち左のＬＥＤを点灯することで４ラウンド大当り遊技の実行中であることを示し、中のＬＥＤを点灯することで６ラウンド大当り遊技の実行中であることを示し、右のＬＥＤを点灯することで７ラウンド大当り遊技の実行中であることを示し、３個全てのＬＥＤを点灯することで１６ラウンド大当り遊技の実行中であることを示す。
【００４３】
＜特別図柄の保留＞
遊技球が第１始動口２４に入球すると、上述したように第１特図についての大当り判定や変動表示が行われるものの、これらの大当り判定や変動表示は、遊技球が第１始動口２４に入球後に直ぐに行われるのではなく、取得された判定乱数を第１特図保留として一旦記憶する。そして、所定の条件が成立したら、記憶した第１特図保留に基づいて大当り判定や第１特図の変動表示を行う。このような第１特図保留は４個を上限として記憶される。第１特図保留の記憶数（第１特図保留数）は、セグメント表示部５０の第１特図保留表示部５３に表示される。すなわち、図４に示すように、第１特図保留表示部５３には２個のＬＥＤが配置されており、この第１特図保留表示部５３では、２個のＬＥＤのうち１個のＬＥＤを点灯することで第１特図保留数が１個であることを示し、２個のＬＥＤを点灯することで第１特図保留数が２個であることを示し、１個のＬＥＤを点滅することで第１特図保留数が３個であることを示し、２個のＬＥＤを点滅することで第１特図保留数が４個であることを示す。
【００４４】
また、遊技球が第２始動口２５に入球すると、上述したように第２特図についての大当り判定や変動表示が行われるものの、これらの大当り判定や変動表示も、遊技球が第２始動口２５に入球後に直ぐに行われるのではなく、取得された判定乱数を第２特図保留として一旦記憶する。そして、所定の条件が成立したら、記憶した第２特図保留に基づいて大当り判定や第２特図の変動表示を行う。このような第２特図保留も４個を上限として記憶される。第２特図保留の記憶数（第２特図保留数）は、セグメント表示部５０の第２特図保留表示部５４に表示される。すなわち、図４に示すように、第２特図保留表示部５４にも２個のＬＥＤが配置されており、この第２特図保留表示部５４では、２個のＬＥＤのうち１個のＬＥＤを点灯することで第２特図保留数が１個であることを示し、２個のＬＥＤを点灯することで第２特図保留数が２個であることを示し、１個のＬＥＤを点滅することで第２特図保留数が３個であることを示し、２個のＬＥＤを点滅することで第２特図保留数が４個であることを示す。
【００４５】
尚、本実施例のパチンコ機１では、何れかの特別図柄の変動表示中や、何れかの特別図柄の確定表示中、大当り遊技中は、第１特図保留や第２特図保留が記憶されていても、これらの保留に係る大当り判定や変動表示は行わない。また、第１特図保留および第２特図保留のうち第１特図保留のみが記憶されている場合は、最先に記憶された第１特図保留に係る大当り判定および第１特図の変動表示を行うが、第２特図保留が記憶されている場合は第１特図保留が記憶されているか否かに拘わらず、最先に記憶された第２特図保留に係る大当り判定および第２特図の変動表示を行う。すなわち、第２特図を第１特図に優先して変動表示させる（いわゆる第２特図の優先変動機能を有する）。
【００４６】
＜普通図柄の変動表示、普図当り遊技＞
図２を用いて前述したように、普通図柄作動ゲート２７は右打ちされた遊技球が通過可能である。右打ちされた遊技球が普通図柄作動ゲート２７を通過し、その遊技球がゲートセンサー２７ｓにより検知されると、所定の判定乱数（後述する普図当り判定乱数）を取得し、該判定乱数に基づいて普図当りであるか外れであるかを判定する普図当り判定を行う。そして、この普図当り判定の結果に基づいて、普通図柄を変動表示させた後に停止表示させる。図４に示すように、セグメント表示部５０には、普通図柄を表示する普図表示部５６が設けられており、普図表示部５６には２個のＬＥＤが配置されている。普通図柄は、普図表示部５６において、２個のＬＥＤのうち点灯するＬＥＤを切り替えることによって変動表示され、２個のＬＥＤのうち所定のＬＥＤを点灯した状態とすることで停止表示される。本実施例のパチンコ機１では、普通図柄として、２個のＬＥＤのうち左のＬＥＤを点灯させた普図当り図柄と、右のＬＥＤを点灯させた普図外れ図柄の２種類の図柄を停止表示可能である。普図当り判定の結果が普図当りである場合は普通図柄が普図当り図柄で停止表示され、普図当り判定の結果が普図外れである場合は普通図柄が普図外れ図柄で停止表示される。こうして普通図柄を当り図柄または外れ図柄で停止表示したら、停止表示された図柄を確定させるべく、図柄が停止表示された状態を所定の時間が経過するまで維持する表示（確定表示）を行う。そして、普通図柄が普図当り図柄で停止表示された場合は、第２始動口２５が開放状態となった後に閉鎖状態となる普図当り遊技が行われる。
【００４７】
＜普通図柄の保留＞
遊技球が普通図柄作動ゲート２７を通過すると、普図当り判定や普通図柄の変動表示が行われるものの、これらの普図当り判定や変動表示は、遊技球が普通図柄作動ゲート２７を通過後に直ぐに行われるのではなく、取得された判定乱数を普図保留として一旦記憶する。そして、所定の条件が成立したら、記憶した普図保留に基づいて普図当り判定や普通図柄の変動表示を行う。このような普図保留も４個を上限として記憶される。普図保留の記憶数（普図保留数）は、セグメント表示部５０の普図保留表示部５７に表示される。すなわち、図４に示すように、普図保留表示部５７には２個のＬＥＤが配置されており、この普図保留表示部５７では、２個のＬＥＤのうち１個のＬＥＤを点灯することで普図保留数が１個であることを示し、２個のＬＥＤを点灯することで普図保留数が２個であることを示し、１個のＬＥＤを点滅することで普図保留数が３個であることを示し、２個のＬＥＤを点滅することで普図保留数が４個であることを示す。尚、本実施例のパチンコ機１では、普図保留が記憶されている場合において、普通図柄の変動表示中、普通図柄の確定表示中、普図当り遊技中の何れでもなければ、最先に記憶された普図保留に係る普図当り判定および普通図柄の変動表示を行う。
【００４８】
＜遊技状態＞
ここで、本実施例のパチンコ機１では、大当り判定において大当りと判定される確率に係る遊技状態と、第２始動口２５への遊技球の入球頻度に係る遊技状態とが適宜設定される。これらのうち大当り判定において大当りと判定される確率に係る遊技状態は、「大当り判定において大当りと判定される確率が低い（９９．９分の１の確率である）低確率状態」または「大当り判定において大当りと判定される確率が高い（１１．９分の１の確率である）高確率状態」に設定される。また、第２始動口２５への遊技球の入球頻度に係る遊技状態は、「第２始動口２５への遊技球の入球頻度が低い非電サポ状態」または「第２始動口２５への遊技球の入球頻度が高い電サポ状態」に設定される。
【００４９】
上述した遊技状態の設定態様について図６を用いて説明する。尚、これらの遊技状態は大当り遊技終了後に設定されるため、図６では、図５を用いて前述したラウンド遊技の回数も再掲している。また、図６において、「高確回数」とは、高確率状態が設定された状態で実行可能な図柄変動遊技（特別図柄の変動表示）の回数であり、「電サポ回数」とは、電サポ状態が設定された状態で実行可能な図柄変動遊技（特別図柄の変動表示）の回数である。
【００５０】
本実施例のパチンコ機１では、何れの大当り遊技が行われた場合であっても、大当り遊技終了後は高確率状態と電サポ状態が併せて設定されるものの、電サポ回数が大当り遊技の開始契機となった大当り図柄の種類によって異なる。すなわち、図６（ａ）（ｂ）に示すように、高確回数については、何れの大当り図柄が停止表示された場合であっても６回に設定される。これに対して、電サポ回数については、図６（ａ）に示すように、第１特図が大当り図柄１〜４５で停止表示された場合は（第１特図が大当り図柄で停止表示される場合は４５％の確率で）２５回に設定され、第１特図が大当り図柄４６〜５０、５１〜９０、９１〜９４で停止表示された場合は（第１特図が大当り図柄で停止表示される場合は５％＋４０％＋４％＝４９％の確率で）５０回に設定され、第１特図が大当り図柄９５〜１００で停止表示された場合は（第１特図が大当り図柄で停止表示される場合は６％の確率で）１００回に設定される。また、図６（ｂ）に示すように、第２特図が大当り図柄２０１〜２４５で停止表示された場合は（第２特図が大当り図柄で停止表示される場合は４５％の確率で）２５回に設定され、第２特図が大当り図柄２４６〜２５０、２５１〜２９０、２９１〜２９４で停止表示された場合は（第２特図が大当り図柄で停止表示される場合は５％＋４０％＋４％＝４９％の確率で）５０回に設定され、第２特図が大当り図柄２９５〜３００で停止表示された場合は（第２特図が大当り図柄で停止表示される場合は６％の確率で）１００回に設定される。
【００５１】
尚、高確回数が６回に設定された後に図柄変動遊技（特別図柄の変動表示）が６回行われた場合は、高確率状態は終了し、電サポ状態が設定されたまま低確率状態が設定される。また、２５回、５０回、１００回の電サポ回数が設定された後に該電サポ回数と同数の図柄変動遊技（特別図柄の変動表示）が行われた場合は、電サポ状態は終了し、非電サポ状態が設定される。遊技者にとっては、電サポ状態の方が非電サポ状態よりも有利な状態であることから、より多くの電サポ回数が設定されることを遊技者に期待させることができる。
【００５２】
ここで、セグメント表示部５０には、上述した電サポ状態の設定中であることを示す電サポ表示部５８が設けられている。すなわち、図４に示すように、電サポ表示部５８には、３個のＬＥＤが配置されており、電サポ状態の設定中は、この３個のＬＥＤを点灯することによって電サポ状態の設定中であることを示す。また、図４に示すように、セグメント表示部５０には、右打ちを行うことを示す右打ち表示部５９が設けられている。電サポ状態の設定中は第２始動口２５への遊技球の入球頻度が高く、且つ、第２始動口２５は右打ちされた遊技球が入球可能であるので、電サポ状態の設定中は右打ちを行うことが遊技者にとって有益である。また、大入賞口２８も右打ちされた遊技球が入球可能であるので、大当り遊技中も右打ちを行うことが遊技者にとって有益である。そこで、電サポ状態の設定中および大当り遊技中は、右打ち表示部５９に配置された２個のＬＥＤを点灯することによって右打ちを行うことを示す。
【００５３】
＜演出表示装置４１の表示内容＞
上述したような遊技の進行は、主に主制御基板２００のＣＰＵ２０１によって行われる。本実施例のパチンコ機１では、上述したような遊技の進行に合わせて、演出表示装置４１に種々の画像を表示する演出を行う。このような演出は、主にサブ制御基板２２０のＣＰＵ２２１によって行われる。
【００５４】
例えば、演出表示装置４１では、第１特図または第２特図の変動表示（図柄変動遊技）に合わせた演出（以下「図柄変動演出」ともいう）が行われる。すなわち、特別図柄（第１特図または第２特図）の変動表示（図柄変動遊技）の開始タイミングと同期して、演出表示装置４１において３つの識別図柄４１ａ，４１ｂ，４１ｃの変動表示を開始する。その後、特別図柄の変動時間が経過するまで種々の態様で識別図柄４１ａ，４１ｂ，４１ｃの変動表示を行う。そして、特別図柄の変動表示の終了タイミング（特別図柄の停止表示）と同期して識別図柄４１ａ，４１ｂ，４１ｃの変動表示を終了する。本実施例のパチンコ機１では、識別図柄として「１」〜「９」までの９つの数字を意匠化した図柄を表示可能である。
【００５５】
図７（ａ）には、３つの識別図柄４１ａ，４１ｂ，４１ｃが一斉に変動表示している様子が概念的に示されている。変動表示が開始されてから所定時間が経過すると、例えば、初めに左識別図柄４１ａが停止表示され、次に右識別図柄４１ｃが停止表示され、最後に中識別図柄４１ｂが停止表示される。これら演出表示装置４１で停止表示される３つの識別図柄４１ａ，４１ｂ，４１ｃの組合せは、前述した第１特図表示部５１または第２特図表示部５２にて停止表示される特別図柄（第１特図または第２特図）と対応するように構成されている。例えば、第１特図または第２特図が大当り図柄で停止表示される場合は、演出表示装置４１の３つの識別図柄４１ａ，４１ｂ，４１ｃが同じ図柄となる図柄組合せ（以下「ゾロ目」ともいう）で停止表示される。また、第１特図または第２特図が外れ図柄で停止表示される場合は、３つの識別図柄４１ａ，４１ｂ，４１ｃは同じ図柄で揃わない図柄組合せ（以下「バラケ目」ともいう）で停止表示される。尚、停止表示された識別図柄４１ａ，４１ｂ，４１ｃは、特別図柄の確定表示時間が経過するまで停止表示された状態となる（確定表示される）。
【００５６】
このように、第１特図表示部５１または第２特図表示部５２で表示される特別図柄と、演出表示装置４１で表示される３つの識別図柄４１ａ，４１ｂ，４１ｃとは、表示内容が互いに対応しており、変動表示中の特別図柄が停止表示する際には、３つの識別図柄４１ａ，４１ｂ，４１ｃも停止表示するようになっている。しかも、図２に示すように、演出表示装置４１は、第１特図表示部５１または第２特図表示部５２（セグメント表示部５０）よりも目に付き易い位置に設けられており、表示画面も大きく、表示内容も分かり易いので、遊技者は演出表示装置４１の画面を見ながら遊技を行うことが通常である。従って、図７（ｂ）に示すように、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り遊技が開始されるのではないか」と、遊技者は識別図柄の変動表示（図柄変動演出）を注視することになる。このように、２つの識別図柄（複数の識別図柄のうち一の識別図柄を除いた識別図柄）を同じ図柄（ゾロ目となり得る態様）で停止させて最後の識別図柄（一の識別図柄）を変動表示させた状態で行われる演出は「リーチ演出」と呼ばれており、このリーチ演出を発生させることで遊技興趣を高めることが可能である。
【００５７】
また、演出表示装置４１の表示画面上の下部には、第１特図保留数を示すための第１保留表示領域４１ｄと、第２特図保留数を示すための第２保留表示領域４１ｅとが設定されている。本実施例のパチンコ機１では、第１保留表示領域４１ｄに第１特図保留数と同数の「保留図柄（図中、小さい円形の図柄）」を表示することで第１特図保留数（上限数は４個）を示し、第２保留表示領域４１ｅに第２特図保留数（上限数は４個）と同数の「保留図柄」を表示することで第２特図保留数を示す。従って、図７に示す例では、第１特図保留数が４個であり、第２特図保留数が４個であることが示されている。尚、当然ながら、演出表示装置４１の表示画面上に表示された保留図柄によって示される保留数と、セグメント表示部５０の第１特図保留表示部５３および第２特図保留表示部５４にて示される保留数とは一致する。
【００５８】
Ｃ．遊技制御処理  ：
図８は、主制御基板２００のＣＰＵ２０１が、遊技の進行に係る制御として行う遊技制御処理の大まかな流れを示したフローチャートである。遊技制御処理は、主制御基板２００のＣＰＵ２０１によって、所定周期毎（例えば４ｍ秒毎）に発生するタイマ割り込みに基づき行われる。以下、フローチャートに従って、主制御基板２００のＣＰＵ２０１が行う遊技進行制御処理について説明する。尚、以下の説明では、ＣＰＵ２０１の初期化処理や、割り込み禁止処理、割り込み許可処理などの周知の処理については、その説明を省略している。
【００５９】
＜出力処理＞
図８に示すように、主制御基板２００のＣＰＵ２０１は遊技制御処理を開始すると先ず、出力処理（Ｓ１００）を行う。本実施例のパチンコ機１では、後述する各種処理において、サブ制御基板２２０を初めとする各種制御基板に向けて送信する各種コマンドをＲＡＭ２０３に確保された出力バッファに記憶する。出力処理（Ｓ１００）では、このように出力バッファに記憶された各種コマンドを各種制御基板に向けて送信する。こうすることにより、例えば、サブ制御基板２２０では、遊技の進行に合わせた演出の制御が行われることになり、払出制御基板２４０では、払出モーター２４３を駆動して遊技球の払い出しが行われることとなる。
【００６０】
＜入力処理＞
主制御基板２００のＣＰＵ２０１は、続いて、入力処理（Ｓ２００）を行う。本実施例のパチンコ機１では上述したように、第１始動口２４、第２始動口２５、一般入球口３０の何れかに遊技球が入球した場合は３個の遊技球が払い出され、大入賞口２８に遊技球が入球した場合は１３個の遊技球が払い出される。そこで、入力処理（Ｓ２００）の処理では、これらの入球を検知するセンサー類（第１始動口センサー２４ｓや、第２始動口センサー２５ｓ、大入賞口センサー２８ｓ等）について、遊技球を検知したか否かを判断する。その結果、遊技球を検知している場合は、払い出す遊技球の数を示す払出コマンドを上述した出力バッファに記憶する。こうして出力バッファに記憶された払出コマンドは次回の出力処理（Ｓ１００）で払出制御基板２４０に向けて送信される。
【００６１】
＜乱数更新処理＞
主制御基板２００のＣＰＵ２０１は、続いて、乱数更新処理（Ｓ３００）を行う。本実施例のパチンコ機１では上述したように、大当り判定や普図当り判定は所定の判定乱数に基づいて行われる。詳しくは、大当り判定は「大当り判定乱数」に基づいて行われ、普図当り判定は「普図当り判定乱数」に基づいて行われる。また、本実施例のパチンコ機１における特別図柄の変動表示は後述する変動パターンに基づいて行われるが、この変動パターンは「変動パターン選択乱数」に基づいて選択される。また、本実施例のパチンコ機１では、大当り判定結果が大当りである場合は、１００種類の大当り図柄（大当り図柄１〜１００あるいは大当り図柄２０１〜３００）のうち何れかの大当り図柄が停止表示されるが、この大当り図柄の種類は「図柄選択乱数」に基づいて選択される。乱数更新処理（Ｓ３００）では、これらの乱数を更新する。尚、これらの乱数の更新は、乱数更新処理（Ｓ３００）においてだけでなく、遊技制御処理を終了してから次の遊技制御処理を開始する（次のタイマ割り込み）までの期間にも行うこととしてもよい。また、乱数更新の専用回路を設けて、この専用回路で乱数を更新することとしてもよい。
【００６２】
＜始動口等センサー検出処理＞
主制御基板２００のＣＰＵ２０１は、続いて、始動口等センサー検出処理（Ｓ４００）を行う。この始動口等センサー検出処理（Ｓ４００）では、普図保留、第１特図保留、第２特図保留を記憶する処理が行われる。すなわち、主制御基板２００のＣＰＵ２０１は先ず、ゲートセンサー２７ｓの検知結果に基づいて、遊技球が普通図柄作動ゲート２７を通過したか否かを判断する。その結果、遊技球が普通図柄作動ゲート２７を通過した場合は、普図保留数が上限値である４個に達しているか否かを判断する。そして、普図保留数が４個に達していなければ、普図当り判定乱数を取得すると共に該普図当り判定乱数を普図保留として記憶する。普図保留は、記憶した順序を識別できるように、ＲＡＭ２０３に確保された普図保留記憶領域に記憶される。尚、遊技球が普通図柄作動ゲート２７を通過していなかった場合や、普図保留数が既に４個に達していた場合は、新たな普図保留は記憶しない。
【００６３】
こうして普図保留の記憶に係る処理を行ったら、続いて、第１始動口センサー２４ｓの検知結果に基づいて、遊技球が第１始動口２４に入球したか否かを判断する。その結果、遊技球が第１始動口２４に入球した場合は、第１特図保留数が上限値である４個に達しているか否かを判断する。そして、第１特図保留数が４個に達していなければ、大当り判定乱数、変動パターン選択乱数、図柄選択乱数を取得すると共にこれらの乱数を第１特図保留として記憶する。第１特図保留は、記憶した順序を識別できるように、ＲＡＭ２０３に確保された第１特図保留記憶領域に記憶される。
【００６４】
ここで、第１特図の変動表示（図柄変動遊技）は、第１特図保留として取得された大当り判定乱数、変動パターン選択乱数、図柄選択乱数に基づいて行われる。また、第１特図の変動表示に合わせて行われる演出（図柄変動演出）も、第１特図保留として取得された大当り判定乱数、変動パターン選択乱数、図柄選択乱数に基づいて行われる。従って、第１特図保留を記憶した場合は、未だ該第１特図保留に基づく変動表示が開始されていなくても（変動開始条件が成立していなくても）、該第１特図保留に基づく変動表示や演出（第１特図保留に基づく図柄変動遊技や図柄変動演出）の態様を判定することが可能である。例えば、第１特図保留に基づく変動表示が行われる前であっても、該第１特図保留に基づく変動表示が行われた場合に大当り図柄が停止表示されるか否かや、リーチ演出が行われるか否か等を判定することが可能である。このような判定は事前判定と称されるものであって、本実施例のパチンコ機１では、第１特図保留を記憶すると、該第１特図保留について事前判定を行い、該事前判定結果を該第１特図保留と対応付けて記憶する。こうして、第１特図保留を記憶すると共に該第１特図保留についての事前判定結果を記憶したら、この事前判定結果を示す事前判定結果コマンドをＲＡＭ２０３の出力バッファに記憶する。こうして出力バッファに記憶された事前判定結果コマンドは次回の出力処理（Ｓ１００）でサブ制御基板２２０に向けて送信される。こうすることによって、サブ制御基板２２０は、第１特図保留の事前判定結果に基づいて種々の演出を実行することが可能となる。尚、遊技球が第１始動口２４に入球していなかった場合や、第１特図保留数が既に４個に達していた場合は、新たな第１特図保留は記憶せず、事前判定も行わない。
【００６５】
こうして第１特図保留の記憶に係る処理を行ったら、続いて、第２始動口センサー２５ｓの検知結果に基づいて、遊技球が第２始動口２５に入球したか否かを判断する。その結果、遊技球が第２始動口２５に入球した場合は、第２特図保留数が上限値である４個に達しているか否かを判断する。そして、第２特図保留数が４個に達していなければ、大当り判定乱数、変動パターン選択乱数、図柄選択乱数を取得すると共にこれらの乱数を第２特図保留として記憶する。第２特図保留は、記憶した順序を識別できるように、ＲＡＭ２０３に確保された第２特図保留記憶領域に記憶される。こうして第２特図保留を記憶したら、該第２特図保留についても上述と同様の事前判定を行い、該事前判定結果を該第２特図保留と対応付けて記憶する。こうして、第２特図保留を記憶すると共に該第２特図保留についての事前判定結果を記憶したら、この事前判定結果を示す事前判定結果コマンドをＲＡＭ２０３の出力バッファに記憶する。こうして出力バッファに記憶された事前判定結果コマンドも次回の出力処理（Ｓ１００）でサブ制御基板２２０に向けて送信される。こうすることによって、サブ制御基板２２０は、第２特図保留の事前判定結果に基づいて種々の演出を実行することが可能となる。尚、遊技球が第２始動口２５に入球していなかった場合や、第２特図保留数が既に４個に達していた場合は、新たな第２特図保留は記憶せず、事前判定も行わない。
【００６６】
＜普通動作処理＞
主制御基板２００のＣＰＵ２０１は、続いて、普通動作処理（Ｓ５００）を行う。この普通動作処理（Ｓ５００）では、普通図柄を変動表示させたり、普図当り遊技を実行したりする処理が行われる。すなわち、主制御基板２００のＣＰＵ２０１は先ず、普図当り遊技中、普通図柄の変動表示中、普通図柄の確定表示中の何れかであるか否かを判断する。その結果、普図当り遊技中、普通図柄の変動表示中、普通図柄の確定表示中の何れでもない場合は、上述の普図保留記憶領域に普図保留が記憶されているか否かを判断する。その結果、普図保留記憶領域に普図保留が記憶されている場合は、記憶されている普図保留のうち最先に記憶された普図保留を読み出す。そして、読み出した普図保留、すなわち、普図当り判定乱数に基づいて普図当り判定を行う。
【００６７】
普図当り判定を行ったら、該普図当り判定の結果が普図当りであるか否かを判断する。その結果、普図当り判定の結果が普図当りである場合は、今回の普通図柄の変動表示にて停止表示する図柄（停止図柄）として普図当り図柄を記憶する。すなわち、今回の普通図柄の変動表示の結果として普図表示部５６の左のＬＥＤ（図４参照）を点灯させることを記憶する。これに対して、普図当り判定の結果が普図外れである場合は、今回の普通図柄の変動表示にて停止表示する図柄（停止図柄）として普図外れ図柄を記憶する。すなわち、今回の普通図柄の変動表示の結果として普図表示部５６の右のＬＥＤ（図４参照）を点灯させることを記憶する。
【００６８】
こうして、今回の普通図柄の変動表示の結果として普図表示部５６の左のＬＥＤを点灯させること、あるいは、普図表示部５６の右のＬＥＤを点灯させることを記憶したら、普通図柄の変動時間を設定して、普通図柄の変動表示を開始する。そして、今回の普図当り判定の対象となった普図保留を普図保留記憶領域から消去する。
【００６９】
以上は、普図当り遊技中、普通図柄の変動表示中、普通図柄の確定表示中の何れでもない場合の処理について説明した。これに対して、普通図柄の変動表示中である場合は、変動表示中の普通図柄の変動時間が経過したか否かを判断する。その結果、変動時間が経過したと判断された場合は、変動表示中の普通図柄を予め記憶しておいた態様で停止表示する。すなわち、普図当り判定の結果が普図当りであった場合は普図表示部５６の左のＬＥＤを点灯した状態とし（普図当り図柄を停止表示し）、普図当り判定の結果が外れであった場合は普図表示部５６の右のＬＥＤを点灯した状態した状態とする（外れ図柄を停止表示する）。このように普通図柄が停止表示されたら、普通図柄の確定表示が開始されるので、普通図柄の確定表示時間を設定する。
【００７０】
以上は、普通図柄の変動表示中である場合の処理について説明した。これに対して、普通図柄の確定表示中である場合は、確定表示時間が経過したか否かを判断する。その結果、確定表示時間が経過した場合は、今回停止表示（確定表示）された普通図柄が普図当り図柄（普図表示部５６の左のＬＥＤの点灯）であるか否かを判断する。その結果、停止表示された普通図柄が普図当り図柄であった場合は、普図当り遊技における第２始動口２５の開放パターン（開放回数、開放時間、閉鎖時間など）を設定した後、普図当り遊技を開始する。
【００７１】
以上は、普通図柄の確定表示中である場合の処理について説明した。これに対して、普図当り遊技中である場合は、上述の開放パターンで第２始動口２５が開放状態・閉鎖状態となるように、始動口ソレノイド２６ｍを制御して開閉扉２６を動作させる。そして、この開放パターンに従う制御が終了したら普図当り遊技を終了する。
【００７２】
ここで、図６を用いて前述したように、本実施例のパチンコ機１では、第２始動口２５への遊技球の入球頻度に係る遊技状態が「第２始動口２５への遊技球の入球頻度が低い非電サポ状態」または「第２始動口２５への遊技球の入球頻度が高い電サポ状態」に設定される。このような非電サポ状態および電サポ状態の設定は次のように実現される。
【００７３】
すなわち、電サポ状態は非電サポ状態と比較して、普図当り判定の結果が普図当りとなる確率（普図当り確率）が高く、普通図柄の変動時間（普図変動時間）が短く、普図当り遊技における第２始動口２５の開放時間が長く設定される。従って、電サポ状態は非電サポ状態と比較して、第２始動口２５が高頻度で開放状態になるとともに該開放状態にある期間が長くなるので、第２始動口２５への遊技球の入球頻度が高くなる（高頻度状態）。例えば、非電サポ状態が設定されている場合は、普図当り確率を１００分の１の確率に設定し（普図保留として取得可能な普図当り判定乱数のうち１００分の１の乱数を普図当りとし）、普図変動時間を２０秒に設定し、普図当り遊技における第２始動口２５の開放時間を０．３秒（０．１秒×３回開放）に設定する。これに対して、電サポ状態が設定されている場合は、普図当り確率を１００分の９９の確率に設定し（普図保留として取得可能な普図当り判定乱数のうち１００分の９９の乱数を普図当りとし）、普図変動時間を１秒に設定し、普図当り遊技における第２始動口２５の開放時間を４．５秒（１．５秒×３回開放）に設定する。
【００７４】
＜特別動作処理＞
主制御基板２００のＣＰＵ２０１は、続いて、特別動作処理（Ｓ６００）を行う。この特別動作処理（Ｓ６００）では、特別図柄（第１特図または第２特図）を変動表示させたり、大当り遊技を実行したりする処理が行われる。すなわち、主制御基板２００のＣＰＵ２０１は先ず、大当り遊技中、特別図柄（第１特図または第２特図）の変動表示中、特別図柄（第１特図または第２特図）の確定表示中の何れかであるか否かを判断する。その結果、大当り遊技中、特別図柄の変動表示中、特別図柄の確定表示中の何れでもない場合は、第２特図保留記憶領域に第２特図保留が記憶されているか否かを判断する。その結果、第２特図保留記憶領域に第２特図保留が記憶されている場合は、記憶されている第２特図保留のうち最先に記憶された第２特図保留（大当り判定乱数、変動パターン選択乱数、図柄選択乱数）を読み出す。そして、読み出した第２特図保留に含まれる大当り判定乱数に基づいて大当り判定を行う。
【００７５】
これに対して、第２特図保留記憶領域に第２特図保留が記憶されていない場合は、今度は、第１特図保留記憶領域に第１特図保留が記憶されているか否かを判断する。その結果、第１特図保留記憶領域に第１特図保留が記憶されている場合は、記憶されている第１特図保留のうち最先に記憶された第１特図保留（大当り判定乱数、図柄選択乱数、変動パターン選択乱数）を読み出す。そして、読み出した第１特図保留に含まれる大当り判定乱数に基づいて大当り判定を行う。
【００７６】
ここで、図６を用いて前述したように、本実施例のパチンコ機１では、大当り判定において大当りと判定される確率に係る遊技状態は「大当り判定において大当りと判定される確率が低い（９９．９分の１の確率である）低確率状態」または「大当り判定において大当りと判定される確率が高い（１１．９分の１の確率である）高確率状態」に設定される。このような低確率状態あるいは高確率状態の設定は次のように実現される。すなわち、低確率状態が設定されている場合は、第１特図保留または第２特図保留として取得可能な大当り判定乱数のうち９９．９分の１の乱数を大当りとし、高確率状態が設定されている場合は、第１特図保留または第２特図保留として取得可能な大当り判定乱数のうち１１．９分の１の乱数を大当りとする。
【００７７】
こうして第１特図保留または第２特図保留について大当り判定を行ったら、該大当り判定の結果が大当りであるか否かを判断する。その結果、大当り判定の結果が大当りである場合は、今回読み出した第１特図保留または第２特図保留に含まれる図柄選択乱数に基づいて、今回の特別図柄の変動表示（図柄変動遊技）にて停止表示する大当り図柄の種類を選択する。すなわち、図５を用いて前述したように、本実施例のパチンコ機１では、第１特図としては大当り図柄１〜１００が停止表示可能であり、第２特図としては大当り図柄２０１〜３００が停止表示可能である。そこで、第１特図保留を読み出した場合は、大当り図柄１〜１００に図柄選択乱数が割り振られた図柄選択テーブル（図示省略）を参照して、第１特図保留として読み出した図柄選択乱数に対応する大当り図柄を、停止表示する図柄として選択する。また、第２特図保留を読み出した場合は、大当り図柄２０１〜３００に図柄選択乱数が割り振られた図柄選択テーブルを参照して、第２特図保留として読み出した図柄選択乱数に対応する大当り図柄を、停止表示する図柄として選択する。尚、図柄選択テーブルは、主制御基板２００のＲＯＭ２０２に予め記憶されている。
【００７８】
一方、大当り判定の結果が外れである場合においては、第１特図保留を読み出した場合は外れ図柄１０１を停止表示する図柄として選択し、第２特図保留を読み出した場合は外れ図柄３０１を停止表示する図柄として選択する。尚、停止表示する図柄として選択された大当り図柄、外れ図柄は、ＲＡＭ２０３に確保された停止図柄記憶領域に記憶される。
【００７９】
こうして停止表示する図柄を選択したら、特別図柄の変動表示（図柄変動遊技）の変動パターンを選択する。変動パターンとは、特別図柄（第１特図または第２特図）が変動表示を開始してから停止表示するまでの時間（変動時間）であり、各変動パターンには他の変動パターンと識別するための情報（変動パターンＩＤ）が付されている。変動パターンを選択する処理では変動パターン選択テーブルを参照する。変動パターン選択テーブルとは、図９に示すように、複数の変動パターン（変動パターンＩＤ、変動時間）に変動パターン選択乱数が割り振られたテーブルである。変動パターンを選択する処理では、このような変動パターン選択テーブルにおいて、今回第１特図保留または第２特図保留として読み出した変動パターン選択乱数に対応する変動パターンを、今回の変動パターンとして決定する。従って、各変動パターンが選択される確率は、取得可能な変動パターン選択乱数のうち各変動パターンに割り振られた乱数の割合によって決定される。
【００８０】
このように選択された変動パターンは後述の変動パターン指定コマンドとして、サブ制御基板２２０に向けて送信される。サブ制御基板２２０のＣＰＵ２２１は、変動パターン指定コマンドを受信すると、該変動パターン指定コマンドに基づいて今回の図柄変動遊技の変動パターンを認識し、該変動パターンに基づく演出パターンで図柄変動演出を実行する。
【００８１】
上述した変動パターンを選択する処理では、常時同じ変動パターン選択テーブルを参照するのではなく、図１０に示すように、特別図柄の種類（第１特図または第２特図）や、現在設定されている遊技状態、大当り判定の結果、記憶されている第１特図保留および第２特図保留の数などの種々の遊技進行状況に対応する変動パターン選択テーブルを参照する。こうすることで、種々の遊技進行状況に対応する変動パターンを選択可能となり、ひいては、サブ制御基板２２０のＣＰＵ２２１は種々の遊技進行状況に対応する演出パターンで図柄変動演出を実行可能となる。例えば、サブ制御基板２２０のＣＰＵ２２１は、大当り判定の結果が大当りである場合は、リーチ演出の後に識別図柄４１ａ，４１ｂ，４１ｃをゾロ目で停止表示する図柄変動演出を実行し、大当り判定の結果が外れである場合は、識別図柄４１ａ，４１ｂ，４１ｃをバラケ目で停止表示する図柄変動演出を実行する。また、大当り判定の結果が外れである場合において所定の変動パターンが選択された場合はリーチ演出を行う。尚、各変動パターン選択テーブルは、主制御基板２００のＲＯＭ２０２に予め記憶されている。
【００８２】
こうして、今回の特別図柄の変動表示にて停止表示させる図柄を選択すると共に、今回の特別図柄の変動表示の変動パターンを選択したら、特別図柄の変動表示を開始する。そして、今回選択された変動パターンを示す変動パターン指定コマンドをＲＡＭ２０３の出力バッファに記憶する。このように出力バッファに記憶された変動パターン指定コマンドは、次回の出力処理（Ｓ１００）でサブ制御基板２２０に向けて送信される。また、今回の大当り判定の対象となった第１特図保留または第２特図保留を、第１特図保留記憶領域または第２特図保留記憶領域から消去する。
【００８３】
以上は、大当り遊技中、特別図柄（第１特図または第２特図）の変動表示中、特別図柄の確定表示中の何れでもない場合の処理について説明した。これに対して、特別図柄の変動表示中である場合は、変動表示中の特別図柄の変動時間が経過したか否かを判断する。その結果、変動時間が経過したと判断された場合は、変動表示中の特別図柄を予め停止図柄記憶領域に記憶しておいた図柄で停止表示する（確定表示を開始する）。このように特別図柄が停止表示されたら、特別図柄の確定表示が開始されるので、特別図柄の確定表示時間を設定する。そして、特別図柄を停止表示したことを示す変動停止コマンドをＲＡＭ２０３の出力バッファに記憶する。このように出力バッファに記憶された変動停止コマンドは、次回の出力処理（Ｓ１００）でサブ制御基板２２０に向けて送信される。
【００８４】
特別図柄の確定表示中である場合は、確定表示時間が経過したか否かを判断する。その結果、確定表示時間が経過した場合は、今回停止表示（確定表示）された特別図柄が大当り図柄であるか否かを判断する。その結果、停止表示された特別図柄が外れ図柄であった場合は、高確率状態が設定されているか否かを判断し、高確率状態が設定されている場合は、高確回数を１回減算する。その結果、高確回数が０回になったら、高確率状態に代えて低確率状態を設定する。また、電サポ状態が設定されているか否かも判断し、電サポ状態が設定されている場合は電サポ回数を１回減算する。その結果、電サポ回数が０回になったら、電サポ状態に代えて非電サポ状態を設定する。このように遊技状態を設定した場合は、設定された遊技状態を示す遊技状態指定コマンドをＲＡＭ２０３の出力バッファに記憶する。このように出力バッファに記憶された遊技状態指定コマンドは、次回の出力処理（Ｓ１００）でサブ制御基板２２０に向けて送信される。
【００８５】
これに対して、停止表示された特別図柄が大当り図柄であった場合は、大当り遊技における大入賞口２８の開放パターン（開放回数、開放時間、閉鎖時間など）を設定する。図５を用いて前述したように、本実施例のパチンコ機１では、停止表示された大当り図柄の種類によって大当り遊技中のラウンド遊技の回数が異なる。従って、停止表示された大当り図柄の種類に対応して大入賞口２８の開放パターンを設定する。こうして大入賞口２８の開放パターンを設定したら、大当り遊技を開始する。そして、大当り遊技の開始を示す大当り遊技開始コマンドをＲＡＭ２０３の出力バッファに記憶する。この大当り遊技開始コマンドには、今回開始する大当り遊技におけるラウンド遊技回数を示す情報も含まれている。出力バッファに記憶された大当り遊技開始コマンドは、次回の出力処理（Ｓ１００）でサブ制御基板２２０に向けて送信される。
【００８６】
一方、大当り遊技中である場合は、上述の開放パターンで大入賞口２８が開放状態・閉鎖状態となるように、大入賞口ソレノイド２９ｍを制御して開閉扉２９を動作させる。そして、ラウンド遊技の開始時には、ラウンド遊技の開始を示すラウンド遊技開始コマンドをＲＡＭ２０３の出力バッファに記憶し、ラウンド遊技の終了時には、ラウンド遊技の終了を示すラウンド遊技終了コマンドをＲＡＭ２０３の出力バッファに記憶される。このように出力バッファに記憶されたラウンド遊技開始コマンド、ラウンド遊技終了コマンドは、次回の出力処理（Ｓ１００）でサブ制御基板２２０に向けて送信される。
【００８７】
また、上述の開放パターンに従う大入賞口ソレノイド２９ｍの制御（開閉扉２９の動作）が終了したら大当り遊技を終了する。そして、大当り遊技の終了を示す大当り遊技終了コマンドをＲＡＭ２０３の出力バッファに記憶される。このように出力バッファに記憶された大当り遊技終了コマンドは、次回の出力処理（Ｓ１００）でサブ制御基板２２０に向けて送信される。大当り遊技を終了したら、図６を用いて前述したように、遊技状態を高確率状態且つ電サポ状態に設定する。このとき、高確回数は、何れの大当り図柄が停止表示された場合も６回に設定されるが、電サポ回数は、停止表示された大当り図柄の種類に応じて、２５回、５０回、１００回の何れかに設定される。このように遊技状態を設定した場合は、設定された遊技状態（高確回数や電サポ回数も含む）を示す遊技状態指定コマンドをＲＡＭ２０３の出力バッファに記憶する。このように出力バッファに記憶された遊技状態指定コマンドは、次回の出力処理（Ｓ１００）でサブ制御基板２２０に向けて送信される。
【００８８】
尚、第１特図保留および第２特図保留は「取得情報」として捉えることもでき、第１特図保留および第２特図保留を記憶するＲＡＭ２０３は「取得情報記憶手段」として捉えることもできる。また、特別図柄は「識別情報」として捉えることもでき、特別図柄を変動表示させる主制御基板２００のＣＰＵ２０１は「識別情報表示手段」として捉えることもでき、大当り図柄は「特定態様」として捉えることもできる。また、大入賞口２８は「可変入球口」として捉えることもでき、大当り遊技は「特定遊技」として捉えることもでき、特別図柄が大当り図柄で停止表示すると（所定の付与条件が成立すると）大当り遊技を実行する（遊技者に特典を付与する）主制御基板２００のＣＰＵ２０１は、「特定遊技実行手段」、「特典付与手段」として捉えることもできる。また、「電サポ状態」および「高確率状態」は「有利状態」として捉えることもでき、遊技状態として「電サポ状態」および「高確率状態」を設定可能な主制御基板２００のＣＰＵ２０１は「有利状態設定手段」として捉えることもできる。
【００８９】
＜保留数処理＞
主制御基板２００のＣＰＵ２０１は、続いて、保留数処理（Ｓ７００）を行う。この保留数処理（Ｓ７００）では、第１特図保留記憶領域に記憶されている第１特図保留の数、および、第２特図保留記憶領域に記憶されている第２特図保留の数を読み出して、これらの数を示す保留数伝達コマンドをＲＡＭ２０３の出力バッファに記憶する。こうして出力バッファに記憶された保留数伝達コマンドも次回の出力処理（Ｓ１００）でサブ制御基板２２０に向けて送信される。こうすることによって、サブ制御基板２２０は、第１特図保留の数や第２特図保留の数に対応する保留図柄を演出表示装置４１に表示する等、これらの数に基づいて種々の演出を実行することが可能となる。
【００９０】
Ｄ．演出制御処理  ：
図１１は、サブ制御基板２２０のＣＰＵ２２１が、演出に係る制御として行う演出制御処理の大まかな流れを示したフローチャートである。演出制御処理は、サブ制御基板２２０のＣＰＵ２２１によって、所定周期毎（例えば１０ｍ秒毎）に発生するタイマ割り込みに基づき行われる。以下、フローチャートに従って、サブ制御基板２２０のＣＰＵ２２１が行う演出制御処理について説明する。尚、以下の説明では、ＣＰＵ２２１の初期化処理や、割り込み禁止処理、割り込み許可処理などの周知の処理については、その説明を省略している。
【００９１】
演出制御処理を開始すると、サブ制御基板２２０のＣＰＵ２２１は先ず、コマンド解析処理を行う（Ｓ８００）。ここで、サブ制御基板２２０のＣＰＵ２２１は、主制御基板２００からコマンドを受信するたびに、外部割り込み処理として、このコマンドをＲＡＭ２２３の受信コマンド記憶領域に記憶している。コマンド解析処理（Ｓ８００）では、この受信コマンド記憶領域に記憶されたコマンド、すなわち、主制御基板２００から受信したコマンドに対応する演出を決定し、この演出を行うために画像音声制御基板２３０やランプ制御基板２２６等に送信するコマンドをＲＡＭ２２３に確保された出力バッファに記憶する。
【００９２】
サブ制御基板２２０のＣＰＵ２２１は、続いて、出力処理を行う（Ｓ９００）。この処理では、ＲＡＭ２２３の出力バッファに記憶されたコマンドを画像音声制御基板２３０やランプ制御基板２２６等に送信する。サブ制御基板２２０からコマンドを受信すると、画像音声制御基板２３０は、受信したコマンドに対応する画像を演出表示装置４１に表示すると共に、受信したコマンドに対応する音声を各種スピーカー６ａ，６ｂ等から出力する。また、ランプ制御基板２２６は、受信したコマンドに対応する発光パターンで各種ランプ５ａ〜５ｃ等を発光させる。
【００９３】
以上のように、サブ制御基板２２０は、画像音声制御基板２３０やランプ制御基板２２６等と協働して各種演出を実行するが、本明細書では説明の便宜上、サブ制御基板２２０が画像音声制御基板２３０やランプ制御基板２２６等と協働して各種演出を実行することを、単に、「サブ制御基板２２０のＣＰＵ２２１が各種演出を実行する」とも表現する。
【００９４】
図１２には、主制御基板２００から受信したコマンドに対応して、サブ制御基板２２０のＣＰＵ２２１が行う処理を示している。図１２に示すように、サブ制御基板２２０のＣＰＵ２２１は、事前判定結果コマンドを受信した場合は、事前判定結果に基づく演出である事前演出を行う。例えば、事前判定結果に対応するキャラクター等の画像を演出表示装置４１に表示させたり、演出表示装置４１の第１保留表示領域４１ｄや第２保留表示領域４１ｆに表示する保留図柄の態様を事前判定結果に対応する態様としたりする。尚、事前判定演出は、事前判定結果コマンドを受信した場合において、常時行う必要はなく、所定の条件が成立したら（例えば所定の実行抽選に当選したら）行うこととしてもよい。
【００９５】
また、サブ制御基板２２０のＣＰＵ２２１は、保留数伝達コマンドを受信すると、このコマンドによって示される第１特図保留数および第２特図保留数と同数の保留図柄を、演出表示装置４１の第１保留表示領域４１ｄや第２保留表示領域４１ｆに表示する。尚、第１特図保留数および第２特図保留数の両方を常時表示する必要はなく、例えば、左打ちが行われる非電サポ状態、すなわち、第１特図主体の遊技が行われる状態においては、第１特図保留数を表示し、右打ちが行われる非電サポ状態、すなわち、第２特図主体の遊技が行われる状態においては、第２特図保留数を表示することとしてもよい。
【００９６】
また、サブ制御基板２２０のＣＰＵ２２１は、変動パターン指定コマンドを受信すると、特別図柄（第１特図または第２特図）の変動表示に合わせて、変動パターン指定コマンドが示す変動パターンに対応する図柄変動演出（識別図柄４１ａ，４１ｂ，４１ｃの変動表示を含む）を開始する。図柄変動演出は、変動パターンに対応して行われるので、図柄変動演出の一環として行われるリーチ演出（図７（ｂ）参照）も、対応する変動パターンが選択された場合に行われる。詳しくは、大当り判定の結果が大当りである場合にリーチ演出に対応する変動パターンが選択されると、リーチ演出が行われた後、識別図柄４１ａ，４１ｂ，４１ｃがゾロ目で停止表示する図柄変動演出が行われる。また、大当り判定の結果が外れである場合にリーチ演出に対応する変動パターンが選択されると、リーチ演出が行われた後、識別図柄４１ａ，４１ｂ，４１ｃがバラケ目で停止表示する図柄変動演出が行われる。そして、図柄変動演出の実行中に変動停止コマンドを受信すると、サブ制御基板２２０のＣＰＵ２２１は、識別図柄４１ａ，４１ｂ，４１ｃをゾロ目またはバラケ目で停止表示する。
【００９７】
尚、識別図柄４１ａ，４１ｂ，４１ｃは「識別情報」として捉えることもでき、識別図柄４１ａ，４１ｂ，４１ｃを変動表示させるサブ制御基板２２０のＣＰＵ２２１は「識別情報表示手段」として捉えることもでき、ゾロ目は「特定態様」として捉えることもできる。
【００９８】
また、図１２に示すように、サブ制御基板２２０のＣＰＵ２２１は、大当り遊技開始コマンドを受信すると、大当り遊技中であることを示す大当り遊技演出を開始する。例えば、大当り遊技が開始されるタイミングで、大当り遊技の開始を示すファンファーレ演出を実行すると共に、大当り遊技中であることを示す動画（いわゆるムービー）の表示を開始する。また、開始された大当り遊技のラウンド遊技回数（４ラウンド大当り遊技、６ラウンド大当り遊技、７ラウンド大当り遊技、１６ラウンド大当り遊技の何れか）を示唆する演出や、開始された大当り遊技終了後に設定される遊技状態や、高確回数（６回）、電サポ回数（２５回、５０回、１００回の何れか）を示唆する演出を実行する。
【００９９】
また、サブ制御基板２２０のＣＰＵ２２１は、大当り遊技中にラウンド遊技開始コマンドを受信すると、ラウンド遊技中であることを示すラウンド遊技演出を（例えば、大当り遊技演出に重ねて）開始する。例えば、実行中の大当り遊技におけるラウンド遊技の回数を示す演出（例えば、１Ｒ，２Ｒ，３Ｒ・・・を表示する演出など）を開始する。そして、ラウンド遊技終了コマンドを受信すると、ラウンド遊技演出を終了し、大当り遊技終了コマンドを受信すると、大当り遊技演出を終了する。
【０１００】
また、サブ制御基板２２０のＣＰＵ２２１は、遊技状態指定コマンドを受信すると、設定された遊技状態に対応する演出を開始する。例えば、識別図柄４１ａ，４１ｂ，４１ｃやその背景画像を遊技状態に対応する態様（色彩や形状など）とする演出を実行したり、高確率状態が設定された場合は残りの高確回数を表示する演出を開始したり、電サポ状態が設定された場合は残りの電サポ回数を表示する演出を開始したりする。
【０１０１】
Ｅ．レース演出  ：
ここで、本実施例のパチンコ機１では、上述した図柄変動演出の一環として「レース演出」を実行することがある。レース演出とは、複数の競走馬が出走するレース（競走）の様子を演出表示装置４１の表示画面に表示する演出である。
【０１０２】
詳しくは、レース演出を開始すると、先ず、図１３（ａ）に示すように、変動表示中の識別図柄４１ａ，４１ｂ，４１ｃを縮小して演出表示装置４１の表示画面右上部に移動させる。そして、表示画面中央部に、遊技者が注目すべき特定の競走馬を表示する。すなわち、１番目にゴールに到達すれば識別図柄４１ａ，４１ｂ，４１ｃがゾロ目で停止表示される競走馬（以下、単に「注目馬」ともいう）を表示する。こうして注目馬を表示した後は、図１３（ｂ）に示すように、注目馬が出走するレースが行われる様子を表示する。このようなレースが行われる様子の表示は、予め記憶されている動画を再生することで行うこととしてもよいし、スプライト画像や３次元データ等を利用してリアルタイムで（逐次）レースの様子を生成して表示することで行うこととしてもよい。
【０１０３】
レース演出で注目馬が１番目にゴールに到達した場合は、識別図柄４１ａ，４１ｂ，４１ｃがゾロ目で（特別図柄が大当り図柄で）停止表示され、注目馬が１番目にゴールに到達しなかった場合は、識別図柄４１ａ，４１ｂ，４１ｃがバラケ目で（特別図柄が外れ図柄で）停止表示される。
【０１０４】
本実施例のパチンコ機１では、上述したようなレース演出が行われる場合の方が行われない場合よりも「大当り期待度」が高くなるように設定されている。「大当り期待度」とは、識別図柄４１ａ，４１ｂ，４１ｃがゾロ目で停止表示される可能性（大当り遊技が行われる可能性）である。このように「大当り期待度」を設定すると、遊技者に対して、レース演出が行われることを期待させることができ、遊技興趣を高めることが可能となる。
【０１０５】
尚、レース演出は、識別図柄４１ａ，４１ｂ，４１ｃがゾロ目で停止表示される可能性（大当り遊技が行われる可能性、特典が付与される可能性）を示唆する演出（レース演出が行われない場合よりも大当り期待度が高いことを示唆する演出）であることから、「付与示唆演出」として捉えることもできる。
【０１０６】
Ｆ．ステップアップ予告演出  ：
また、本実施例のパチンコ機１では、上述した図柄変動演出の一環として「ステップアップ予告演出」を実行することがある。「ステップアップ予告演出」は、識別図柄４１ａ，４１ｂ，４１ｃの変動表示が１回行われる間に実行されるが、レース演出が該変動表示で行われる可能性（以下「レース演出期待度」ともいう）を示唆する演出である。このようなレース演出期待度を示唆すべく、「ステップアップ予告演出」では、４種類の「単位演出」を予め定められた順序で実行可能である。
【０１０７】
詳しくは、ステップアップ予告演出においては、１段階目の単位演出として、図１４（ａ）に示すように、変動表示中の識別図柄４１ａ，４１ｂ，４１ｃに重ねて『楕円形に「？？？」の文字が付された画像』が表示される。また、２段階目の単位演出として、図１４（ｂ）に示すように、変動表示中の識別図柄４１ａ，４１ｂ，４１ｃに重ねて『三角形に「チャンス」の文字が付された画像』が表示される。また、３段階目の単位演出として、図１５（ａ）に示すように、変動表示中の識別図柄４１ａ，４１ｂ，４１ｃに重ねて『四角形に「熱い」の文字が付された画像』が表示される。また、４段階目の単位演出として、図１５（ｂ）に示すように、変動表示中の識別図柄４１ａ，４１ｂ，４１ｃに重ねて『星形に「激アツ」の文字が付された画像』が表示される。
【０１０８】
ステップアップ予告演出では、上述した１段階目から４段階目までの単位演出を予め定められた順序、すなわち、１段階目の単位演出→２段階目の単位演出→３段階目の単位演出→４段階目の単位演出の順序で実行可能である。もっとも、ステップアップ予告演出が開始されたら必ず４段階目の単位演出まで行われるわけではなく、１段階目の単位演出しか行われない場合や、２段階目の単位演出までしか行われない場合、３段階目の単位演出までしか行われない場合もある。ステップアップ予告演出では、何れの段階までの単位演出が行われるかによって、レース演出が行われる可能性（レース演出期待度）を示唆する。
【０１０９】
尚、レース演出期待度を示唆するステップアップ予告演出は、大当り期待度を示唆する演出（付与示唆演出）として捉えることもできる。すなわち、レース演出が行われる場合は行われない場合よりも大当り期待度が高いので、このようなレース演出が行われる可能性（レース演出期待度）を示唆するステップアップ予告演出は、大当り期待度も示唆しているということができる。
【０１１０】
図１６には、ステップアップ予告演出のレース演出期待度が示されている。図１６に示すように、ステップアップ予告演出が行われない場合よりも行われる場合の方がレース演出期待度は高く設定されている。そして、ステップアップ予告演出が行われる場合のレース演出期待度（大当り期待度）は、４段階目の単位演出まで行われる場合が最も高く、３段階目の単位演出まで行われる場合、２段階目の単位演出まで行われる場合の順に低くなり、１段階目の単位演出しか行われない場合が最も低くなるように設定されている。従って、遊技者に対して、レース演出期待度のより高いステップアップ予告演出、すなわち、ステップアップ予告演出でより多くの段階までの単位演出が行われることを期待させることができ、遊技興趣を高めることが可能となる。
【０１１１】
尚、上述したレース演出やステップアップ予告演出は、それぞれに対応する変動パターンが選択された場合に実行される。従って、これらの演出に対応する変動パターンが選択される確率を適宜設定することによって、上述した大当り期待度やレース演出期待度を実現することができる。例えば、レース演出を行う変動パターンが選択される確率（レース演出を行う確率）は、大当り判定の結果が外れである場合（識別図柄４１ａ，４１ｂ，４１ｃがゾロ目で停止表示される場合）よりも大当り判定の結果が大当りである場合（識別図柄４１ａ，４１ｂ，４１ｃがゾロ目で停止表示される場合）の方が高くなるように設定する。
【０１１２】
また、レース演出を行う変動パターンが選択される場合は（レース演出を行う場合は）、ステップアップ予告演出で４段階目の単位演出まで行う変動パターンが選択される確率（４段階目の単位演出まで行う確率）が最も高く、３段階目の単位演出まで行う変動パターンが選択される確率（３段階目の単位演出まで行う確率）、２段階目の単位演出まで行う変動パターンが選択される確率（２段階目の単位演出まで行う確率）の順に低くなり、１段階目の単位演出しか行わない変動パターンが選択される確率（１段階目の単位演出しか行わない確率）が最も低くなるように設定する。
【０１１３】
これに対して、レース演出を行わない変動パターンが選択される場合は（レース演出を行わない場合は）、ステップアップ予告演出で１段階目の単位演出しか行わない変動パターンが選択される確率（１段階目の単位演出しか行わない確率）が最も高く、２段階目の単位演出まで行う変動パターンが選択される確率（２段階目の単位演出まで行う確率）、３段階目の単位演出まで行う変動パターンが選択される確率（３段階目の単位演出まで行う確率）の順に低くなり、４段階目の単位演出まで行う変動パターンが選択される確率（４段階目の単位演出まで行う確率）が最も低くなるように設定する。
【０１１４】
Ｇ．別表示演出  ：
Ｇ−１．別表示演出の概要  ：
上述したように、本実施例のパチンコ機１では、レース演出期待度のより高いステップアップ予告演出、すなわち、ステップアップ予告演出でより多くの段階までの単位演出が行われることを遊技者に期待させることができる。もっとも、遊技者の中には、「ステップアップ予告演出で何れの段階までの単位演出が行われればレース演出期待度が高くなるのか」を認識していない者も存在する可能性がある。例えば、ステップアップ予告演出では４段階目の単位演出まで行われる可能性があることを知らない遊技者は、３段階目の単位演出まで行われたとしても、それによって示唆されるレース演出期待度を予測することが困難になってしまう。
【０１１５】
そこで、本実施例のパチンコ機１では、ステップアップ予告演出が行われたものの、４段階目の単位演出まで行われなかった場合は、行われなかった単位演出に係る情報を表示する「別表示演出」を実行することとしている。
【０１１６】
詳しくは、図１７に示すように、ステップアップ予告演出で１段階目の単位演出しか行われなかった場合は、２段階目の単位演出、３段階目の単位演出、４段階目の単位演出に係る情報を表示する「別表示演出」を実行する。また、ステップアップ予告演出で２段階目の単位演出までしか行われなかった場合は、３段階目の単位演出、４段階目の単位演出に係る情報を表示する「別表示演出」を実行する。また、ステップアップ予告演出で３段階目の単位演出までしか行われなかった場合は、４段階目の単位演出に係る情報を表示する「別表示演出」を実行する。尚、ステップアップ予告演出で４段階目の単位演出まで行われた場合は「別表示演出」は実行しない。
【０１１７】
図１８には、本実施例の「別表示演出」が行われる様子が示されている。図１８に示すように、本実施例の「別表示演出」では、「別表示演出」の文字が付された枠画像４１ｗ（別表示演出が行われていることを示す画像）を表示し、枠画像４１ｗの内側の表示領域に、ステップアップ予告演出で行われなかった単位演出に係る情報を表示する。詳しくは、枠画像４１ｗの内側の表示領域のうち、上側の表示領域に「ステップアップ予告演出で行われなかった単位演出が実際に行われる様子」を表示し、下側の表示領域に「上側の表示領域に表示されている単位演出について説明する文字」を表示する「別表示演出」を行う。
【０１１８】
図１８（ａ）に示す例では、ステップアップ予告演出で２段階目の単位演出までしか行われなかった場合の「別表示演出」が行われている。この場合の「別表示演出」では、先ず、３段階目の単位演出に係る情報として、上側の表示領域に、変動表示中の識別図柄４１ａ，４１ｂ，４１ｃに重ねて『四角形に「熱い」の文字が付された画像』が表示される単位演出（３段階目の単位演出）が行われる様子を表示する。また、これに併せて、下側の表示領域に、上側の表示領域に表示されている単位演出について説明する「３段階目の単位演出」という文字を表示する。続いて、所定の時間が経過したら、４段階目の単位演出に係る情報として、上側の表示領域に、変動表示中の識別図柄４１ａ，４１ｂ，４１ｃに重ねて『星形に「激アツ」の文字が付された画像』が表示される単位演出（４段階目の単位演出）が行われる様子を表示する。また、これに併せて、下側の表示領域に、上側の表示領域に表示されている単位演出を説明する「４段階目の単位演出」という文字を表示する。
【０１１９】
以上のように、本実施例のパチンコ機１では、ステップアップ予告演出が行われたものの４段階目の単位演出まで行われなかった場合は、行われなかった単位演出に係る情報を表示する「別表示演出」を実行することとした。
【０１２０】
こうすると、ステップアップ予告演出が行われたものの４段階目の単位演出まで行われなかったタイミング、すなわち、ステップアップ予告演出の内容を遊技者がより明確に覚えているタイミングで、「レース演出期待度のより高い単位演出も行われる」ことを遊技者に認識させることができる。この結果、ステップアップ予告演出の内容をより深く遊技者に理解させることができ、遊技興趣を高めることが可能となる。
【０１２１】
また、「別表示演出」において、枠画像４１ｗの内側の表示領域のうち上側の表示領域には、「ステップアップ予告演出で行われなかった単位演出が実際に行われる様子」を表示することとした（図１８参照）。このため、レース演出期待度のより高い単位演出が実際に行われる様子を遊技者に視認させることができる。このことによっても、ステップアップ予告演出の内容をより深く遊技者に理解させることができ、遊技興趣を高めることが可能となる。
【０１２２】
ここで、ステップアップ予告演出はあくまでもレース演出期待度を示唆する演出であるので、ステップアップ予告演出で４段階目の単位演出まで行われない場合（例えば、１段階目の単位演出しか行われない場合、複数種類の単位演出のうち一部の単位演出しか実行されない場合）であっても、レース演出が行われることがある。このようにレース演出が行われる場合にも「別表示演出」を行うこととすると、「別表示演出」がレース演出の妨げになって、遊技者がレース演出を視認し難くなってしまうという問題が生じる。そこで、本実施例のパチンコ機１では、ステップアップ予告演出に続いてレース演出が行われない場合に「別表示演出」を行うこととし、ステップアップ予告演出に続いてレース演出が行われる場合は「別表示演出」を行わないこととしている。こうすると、上述の問題が生じることを防止できる。
【０１２３】
逆に、ステップアップ予告演出で４段階目の単位演出まで行われた場合（複数種類の単位演出の全てが実行された場合）であっても、レース演出が行われない場合がある。このような場合は、遊技者に対して、「４段階目の単位演出まで行われたにも拘わらずレース演出が行われないということは更にレース演出期待度の高い単位演出が存在するのか」という勘違いをさせてしまう可能性がある。そこで、このような勘違いをさせないために、４段階目の単位演出まで行われた（複数種類の単位演出の全てが実行された）にも拘わらずレース演出が行われなかった場合は、４段階目の単位演出まで行われることが最もレース演出期待度の高いステップアップ予告演出であること（複数種類の単位演出の全てが実行されたこと）を示唆する情報を表示する演出を行うこととしている。例えば、図１９に示すように、「レース演出期待度は最高だったけど残念」という文字を表示する演出を行う。こうすると、遊技者に上述の勘違いをさせてしまうことを防止できる。
【０１２４】
また、ステップアップ予告演出は、当然ながら、１回の識別図柄４１ａ，４１ｂ，４１ｃの変動表示の実行中に行われるものであり、ステップアップ予告演出に続いてレース演出が行われない場合は、ステップアップ予告演出が終了すると、識別図柄４１ａ，４１ｂ，４１ｃの変動表示も終了する。このため、ステップアップ予告演出の後に「別表示演出」を開始したとしても、この「別表示演出」が終了する前に、次回の識別図柄４１ａ，４１ｂ，４１ｃの変動表示が開始されてしまうことがある。
【０１２５】
そこで、本実施例のパチンコ機１では、図２０（ａ）に示すように、ステップアップ予告演出の終了後に開始される「識別図柄４１ａ，４１ｂ，４１ｃの変動表示」に並行して、「別表示演出」を実行可能であることとしている。こうすると、「別表示演出」の時間的制限を抑えることができ、ひいては、長い時間に亘って「別表示演出」を行うことができる。また、本実施例のパチンコ機１は、図２０（ｂ）に示すように、ステップアップ予告演出の終了後に開始される複数回の「識別図柄４１ａ，４１ｂ，４１ｃの変動表示」に並行して、「別表示演出」を実行することも可能である。こうすると、「別表示演出」の時間的制限を更に抑えることができ、ひいては、更に長い時間に亘って「別表示演出」を行うことができる。これらの結果、ステップアップ予告演出の内容をより深く遊技者に理解させることができ、遊技興趣を高めることが可能となる。
【０１２６】
また、上述したように、ステップアップ予告演出の終了後に開始される「識別図柄４１ａ，４１ｂ，４１ｃの変動表示」に並行して「別表示演出」を行う場合は、図１８に示すように、識別図柄４１ａ，４１ｂ，４１ｃを（レース演出が行われていない場合よりも）縮小して表示することとしている。こうすると、識別図柄４１ａ，４１ｂ，４１ｃの表示が「別表示演出」の妨げにならないので、遊技者が「別表示演出」を認識し易くすることができる。この結果、ステップアップ予告演出の内容をより深く遊技者に理解させることができ、遊技興趣を高めることが可能となる。
【０１２７】
Ｇ−２．別表示演出実行処理  ：
図２１には、上述した「別表示演出」を行うための別表示演出実行処理を示すフローチャートである。この処理は、サブ制御基板２２０のＣＰＵ２２１によって、図１１を用いて前述した演出制御処理の一環として行われる。
【０１２８】
別表示演出実行処理を開始すると、サブ制御基板２２０のＣＰＵ２２１は先ず、実際に行われるステップアップ予告演出の内容（何れの段階までの単位演出が行われるか）を記憶する処理を行う（Ｓ１０００〜Ｓ１００２）。詳しくは、先ず、ステップアップ予告演出が開始されたか否かを判断する（Ｓ１０００：ｙｅｓ）。その結果、ステップアップ予告演出が開始された場合は（Ｓ１０００：ｙｅｓ）、そのステップアップ予告演出の内容（そのステップアップ予告演出では何れの段階までの単位演出が行われるか）を、ＲＡＭ２２３の「実行内容記憶領域」に記憶する（Ｓ１００２）。
【０１２９】
尚、Ｓ１００２の処理で「実行内容記憶領域」に記憶されるステップアップ予告演出の内容は、「別表示演出」を行うための情報であるので、「別表示演出」を行わない場合は、ステップアップ予告演出の内容は記憶しない。すなわち、ステップアップ予告演出に続いてレース演出が行われる場合や、４段階目の単位演出まで行われるステップアップ予告演出が開始される場合は、「別表示演出」を行わないので、これらの場合は、ステップアップ予告演出の内容は記憶しない。
【０１３０】
続いて、サブ制御基板２２０のＣＰＵ２２１は、「選択演出」を開始するための処理（Ｓ１００４〜Ｓ１００８）を行う。「選択演出」とは、「別表示演出」を行うか否かを遊技者に選択させるための演出である。すなわち、本実施例のパチンコ機１では、「別表示演出」を行うか否かを遊技者に選択させることが可能であり、遊技者が「選択演出」で「別表示演出」を行うことを選択した場合に、「別表示演出」を実行することとしている。
【０１３１】
図２２には、本実施例の「選択演出」が行われる様子が示されている。図２２に示すように、本実施例の「選択演出」では、「選択演出」の文字が付された枠画像４１ｘ（選択演出が行われていることを示す画像）を表示し、枠画像４１ｘの内側の表示領域に、「別表示演出」を行うか否かを遊技者に選択させるための画像を表示する。詳しくは、「別表示演出を行いますか？」という「別表示演出」を行うか否かを遊技者に問い掛ける文字と、この問い掛けに答えるための選択肢である「はい」、「いいえ」の文字とが表示される。また、「はい」、「いいえ」のうち何れかの選択肢（文字）には、当該選択肢が選択されていることを示す三角形の選択画像が付されて表示される。
【０１３２】
「選択演出」の実行中は、遊技者が演出ボタン１０ａを操作する都度、三角形の選択画像が「はい」、「いいえ」の選択肢間を移動して表示される。すなわち、選択画像が「はい」の選択肢に付されて表示されている場合に演出ボタン１０ａが操作されると、「いいえ」の選択肢に付されて表示され、選択画像が「いいえ」の選択肢に付されて表示されている場合に演出ボタン１０ａが操作されると、「はい」の選択肢に付されて表示される。
【０１３３】
「選択演出」を開始するための処理（Ｓ１００４〜Ｓ１０１０）では、先ず、識別図柄４１ａ，４１ｂ，４１ｃがバラケ目で停止表示されたタイミングであるか否かを判断する（Ｓ１００４）。その結果、識別図柄４１ａ，４１ｂ，４１ｃがバラケ目で停止表示されたタイミングである場合は（Ｓ１００４：ｙｅｓ）、ステップアップ予告演出の内容がＲＡＭ２２３の「実行内容記憶領域」に記憶されているか否かを判断する（Ｓ１００６）。その結果、ステップアップ予告演出の内容が「実行内容記憶領域」に記憶されている場合は（Ｓ１００６：ｙｅｓ）、図２２を用いて上述した「選択演出」を開始する（Ｓ１００８）。
【０１３４】
このように、本実施例のパチンコ機１では、識別図柄４１ａ，４１ｂ，４１ｃがバラケ目で停止表示されたタイミングで（Ｓ１００４：ｙｅｓ）、「実行内容記憶領域」にステップアップ予告演出の内容が記憶されている場合に（Ｓ１００６：ｙｅｓ）、「選択演出」を開始する。こうすると、「選択演出」は自ずと、「ステップアップ予告演出が行われた識別図柄４１ａ，４１ｂ，４１ｃの変動表示でバラケ目が停止表示された場合」に開始されることとなる。
【０１３５】
すなわち、本実施例のパチンコ機１では、ステップアップ予告演出が開始される際に「実行内容記憶領域」に記憶されたステップアップ予告演出の内容は、「選択演出」が終了する際に消去される（後述のＳ１０１８の処理を参照）。そして、この「選択演出」の実行時間（所要時間）は、識別図柄４１ａ，４１ｂ，４１ｃの変動表示時間よりも短く設定されている。このため、「選択演出」が開始された後は、次に識別図柄４１ａ，４１ｂ，４１ｃがバラケ目で停止表示されるよりも前に、「選択演出」は終了し、「実行内容記憶領域」に記憶されたステップアップ予告演出の内容も消去される。従って、識別図柄４１ａ，４１ｂ，４１ｃがバラケ目で停止表示されたタイミングで（Ｓ１００４：ｙｅｓ）、「実行内容記憶領域」にステップアップ予告演出の内容が記憶されている（Ｓ１００６：ｙｅｓ）のは、「ステップアップ予告演出が行われた識別図柄４１ａ，４１ｂ，４１ｃの変動表示でバラケ目が停止表示された場合」である。そして、本実施例のパチンコ機１では、このような場合に「選択演出」を開始することとしている（Ｓ１００８）。
【０１３６】
ここで、識別図柄４１ａ，４１ｂ，４１ｃの変動表示が終了した際に「選択演出」を開始すると、この「選択演出」が終了する前に、次回の識別図柄４１ａ，４１ｂ，４１ｃの変動表示が開始されてしまうことがある。そこで、本実施例のパチンコ機１では、「識別図柄４１ａ，４１ｂ，４１ｃの変動表示」に並行して、「選択演出」を実行可能であることとしている。こうすると、「選択演出」の時間的制限を抑えることができ、ひいては、長い時間に亘って「選択演出」を行うことができる。そして、「識別図柄４１ａ，４１ｂ，４１ｃの変動表示」に並行して「選択演出」を行う場合は、図２２に示すように、識別図柄４１ａ，４１ｂ，４１ｃを（レース演出や選択演出が行われていない場合よりも）縮小して表示することとしている。こうすると、識別図柄４１ａ，４１ｂ，４１ｃの表示が「選択演出」の妨げにならないので、遊技者が「選択演出」を認識し易くすることができる。
【０１３７】
続いて、サブ制御基板２２０のＣＰＵ２２１は、「別表示演出」を開始するための処理（Ｓ１０１０〜Ｓ１０１８）を行う。詳しくは、先ず、「選択演出」の終了タイミングであるか否かを判断する（Ｓ１０１０）。その結果、「選択演出」の終了タイミングである場合は（Ｓ１０１０：ｙｅｓ）、「別表示演出」を実行するか否かを判断する（Ｓ１０１２）。このＳ１０１２の判断処理では、「選択演出」で「はい」、「いいえ」のうち何れの選択肢が選択されているか（三角形の選択画像が何れの選択肢に付されて表示されているか）に基づいて行われる。すなわち、「選択演出」で、「はい」が選択されていれば「別表示演出」を実行すると判断し、「いいえ」が選択されていれば「別表示演出」を実行しないと判断する。
【０１３８】
Ｓ１０１２の判断処理の結果、「別表示演出」を実行しないと判断された場合は（Ｓ１０１２：ｎｏ）、「別表示演出」は実行しないまま、「実行内容記憶領域」に記憶されているステップアップ予告演出の内容を消去する（Ｓ１０１８）。これに対して、「別表示演出」を実行すると判断された場合は（Ｓ１０１２：ｙｅｓ）、「実行内容記憶領域」に記憶されているステップアップ予告演出の内容に基づいて（実際に行われたステップアップ予告演出の内容に基づいて）、「別表示演出」の内容を決定する（Ｓ１０１４）。すなわち、図１７を用いて前述したように、「ステップアップ予告演出で行われなかった単位演出に係る情報」を表示するように、「別表示演出」の内容を決定する。そして、Ｓ１０１４で決定した内容の「別表示演出」を開始した後（Ｓ１０１６）、「実行内容記憶領域」に記憶されたステップアップ予告演出の内容を消去する（Ｓ１０１８）。
【０１３９】
以上のように、本実施例のパチンコ機１では、「別表示演出」を行うか否かを遊技者に選択させることが可能である。ここで、ステップアップ予告演出の内容を理解している遊技者の中には、「別表示演出」を煩わしく感じる者も存在する可能性がある。この点、本実施例のパチンコ機１では、「別表示演出」を行うか否かを遊技者に選択させることができるので、遊技者が「別表示演出」を煩わしく感じることを抑制することが可能となる。
【０１４０】
また、遊技者の中には、ステップアップ予告演出が行われた状況（例えば、何れの段階までの単位演出が行われたかなど）に応じて「別表示演出」の実行を所望する者も存在する可能性がある。この点、本実施例のパチンコ機１では、ステップアップ予告演出が行われた直後のタイミング、すなわち、「ステップアップ予告演出が行われた識別図柄４１ａ，４１ｂ，４１ｃの変動表示でバラケ目が停止表示されたタイミング」で、「別表示演出」を行うか否かを選択させることができるので、遊技者の要求に応じた「別表示演出」を実行することが可能となる。
【０１４１】
Ｈ．変形例  ：
次に本発明の変形例について説明する。
Ｈ−１．変形例１  ：
上述した実施例においては、「別表示演出」を行った場合は、所定の解除条件が成立するまでは、「選択演出」や、該「別表示演出」と内容が同一の「別表示演出」は行わないこととしてもよい。
【０１４２】
すなわち、遊技者の中には、同一の内容の「別表示演出」が何回も行われると、「別表示演出」を煩わしく感じる者も存在する可能性がある。そこで、変形例１では、「別表示演出」を行った場合は、所定の解除条件が成立するまでは、「選択演出」や、該「別表示演出」と内容が同一の「別表示演出」は行わないこととする。
【０１４３】
所定の解除条件としては、パチンコ機１が待機状態（第１始動口２４および第２始動口２５の何れにも所定の時間に亘って遊技球が入球しない状態、所定の時間に亘って遊技球が発射されていない状態）となることや、内容が同一の「別表示演出」を実行してから所定の時間が経過することや、遊技者が交代したことなどを例示することができる。
【０１４４】
変形例１のような構成とすると、「選択演出」や「別表示演出」を遊技者が煩わしく感じることを抑制することが可能となる。
【０１４５】
Ｈ−２．変形例２  ：
上述した実施例においては、ステップアップ予告演出が行われた識別図柄４１ａ，４１ｂ，４１ｃの変動表示でバラケ目が停止表示されたら、その後に行われる識別図柄４１ａ，４１ｂ，４１ｃの変動表示（以下「後続変動」ともいう）の内容に拘わらず、「選択演出」や「別表示演出」を行うこととした。これに限らず、「後続変動」が所定の内容の「禁止変動」であり、「選択演出」や「別表示演出」を行うと「禁止変動」に並行して「選択演出」や「別表示演出」が実行されてしまう場合は、「選択演出」や「別表示演出」を行わないこととしてもよいし、「禁止変動」が終了した後に「選択演出」や「別表示演出」を行うこととしてもよい。
【０１４６】
例えば、「選択演出」および「別表示演出」を行う際に（ステップアップ予告演出が行われた識別図柄４１ａ，４１ｂ，４１ｃの変動表示でバラケ目が停止表示されたタイミングで）、事前判定結果に基づいて、「後続変動」が「禁止変動」であるか否かを判断する。その結果、「後続変動」が「禁止変動」でない場合は、実施例と同様に「選択演出」や「別表示演出」を行うこととする。
【０１４７】
一方、「後続変動」が「禁止変動」である場合は、事前判定結果に基づいて、「選択演出」や「別表示演出」を行うと「禁止変動」に並行して「選択演出」や「別表示演出」が実行されるか否かを判断する。その結果、「禁止変動」に並行して「選択演出」や「別表示演出」が実行されない場合も、実施例と同様に「選択演出」や「別表示演出」を行うこととする。これに対して、「禁止変動」に並行して「選択演出」や「別表示演出」が実行される場合は、「選択演出」や「別表示演出」を行わない、あるいは、「禁止変動」が終了した後に「選択演出」や「別表示演出」を行うこととする。
【０１４８】
「禁止変動」としては、「ゾロ目が停止表示される識別図柄４１ａ，４１ｂ，４１ｃの変動表示」や、「ステップアップ予告演出が行われる識別図柄４１ａ，４１ｂ，４１ｃの変動表示」、「レース演出が行われる識別図柄４１ａ，４１ｂ，４１ｃの変動表示」、「直前に行われたステップアップ予告演出よりもレース演出期待度のより高いステップアップ予告演出が行われる識別図柄４１ａ，４１ｂ，４１ｃの変動表示」、「所定の演出が行われる識別図柄４１ａ，４１ｂ，４１ｃの変動表示」などを例示することができる。
【０１４９】
変形例２のような構成とすると、「選択演出」や「別表示演出」が、上述したような「禁止変動」の妨げにならず、遊技者が「禁止変動」の内容を視認し易くなるので、遊技興趣を高めることが可能となる。
【０１５０】
尚、「禁止変動」は、「識別情報の変動表示のうちの特定の変動表示」として捉えることもできる。
【０１５１】
以上、本発明の実施例および変形例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１５２】
例えば、上述した実施例において、「別表示演出」では、ステップアップ予告演出で行われなかった単位演出に係る情報を表示することとしたが、この単位演出に係る情報としては、実施例で挙げた情報以外にも、該単位演出が行われた場合におけるレース演出が行われる確率や、大当り遊技が行われる確率などを採用してもよい。
【０１５３】
また、上述した実施例および変形例においては、行われなかった単位演出のうち一部の単位演出に係る情報を表示することとしてもよい。例えば、ステップアップ予告演出で１段階目の単位演出しか行われなかった場合は、行われなかった単位演出である２〜４段階目の単位演出のうち、一部の単位演出（例えば、２段階目の単位演出）に係る情報を表示することとしてもよい。
【０１５４】
また、上述した実施例および変形例においては、「選択演出」の実行中に「禁止変動」が開始されたら「選択演出」を終了させることとしてもよい。また、「別表示演出」の実行中に「禁止変動」が開始されたら「別表示演出」を終了させることとしてもよい。こうすることによっても、「選択演出」や「別表示演出」が、「禁止変動」の妨げにならず、遊技者が「禁止変動」の内容を視認し易くなるので、遊技興趣を高めることが可能となる。
【０１５５】
また、所定の特図保留（以下「判定対象保留」ともいう）について事前判定を行い、該事前判定結果に基づいてステップアップ演出を行うこととしてもよい。この場合は、判定対象保留に基づく図柄変動遊技よりも前に行われる図柄変動遊技の実行中にステップアップ演出を開始し、判定対象保留に基づく図柄変動遊技の実行中に該ステップアップ演出を終了させることとしてもよい。換言すると、ステップアップ予告演出は、複数回の図柄変動遊技（図柄変動演出）に亘って行われることしてもよい。
【０１５６】
また、上述した実施例において、「別表示演出」では、ステップアップ予告演出で行われなかった単位演出に係る情報を表示することとしたが、これに限らない。例えば、複数のキャラクターを表示可能な特定の演出（所定の演出、例えば、特定のリーチ演出）を実行可能であることとし、特定の演出が行われた結果、表示可能な複数のキャラクターのうち一部のキャラクターしか表示されなかった場合は、複数のキャラクターのうち当該一部のキャラクターとは別のキャラクター（表示されなかったキャラクター）に係る情報を表示する「別表示演出」を行うこととしてもよい。例えば、特定の演出の終了後に、表示されなかったキャラクターを表示する「別表示演出」を行うこととしてもよい。こうすると、特定の演出が行われたものの一部のキャラクターしか表示されなかったタイミング、すなわち、特定の演出の内容を遊技者がより明確に覚えているタイミングで、「特定の演出では別のキャラクターも表示されることがある」ことを遊技者に認識させることができる。この結果、特定の演出の内容をより深く遊技者に理解させることができ、遊技興趣を高めることが可能となる。
【０１５７】
また、上述した実施例では、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【０１５８】
＜上述した実施例から抽出できる遊技機Ａ１〜Ａ１０＞
上述した実施例のパチンコ機は、次のような遊技機Ａ１〜Ａ１０として捉えることができる。
【０１５９】
＜遊技機Ａ１＞
識別情報を変動表示させる識別情報表示手段と、
前記識別情報が特定態様で表示された場合に、遊技者に特典を付与する特典付与手段と、
を備え、
所定の演出を実行可能であり、
前記所定の演出のうち一部の演出しか実行されない場合は、前記所定の演出のうち前記一部の演出とは別の演出に係る情報を表示する別表示演出を実行可能である
ことを特徴とする遊技機。
【０１６０】
このような遊技機では、所定の演出のうち一部の単位演出しか実行されない場合は、「所定の演出のうち当該一部の演出とは別の演出」に係る情報を表示する「別表示演出」を実行することとしている。こうすると、所定の演出のうち一部の演出しか実行されないタイミング、すなわち、所定の演出のうち一部の演出の内容を遊技者がより明確に覚えているタイミングで、「所定の演出では別の演出も行われる」ことを遊技者に認識させることができる。この結果、所定の演出の内容をより深く遊技者に理解させることができ、遊技興趣を高めることが可能となる。
【０１６１】
＜遊技機Ａ２＞
遊技機Ａ１において、
前記所定の演出として、実行順序が予め定められた複数種類の単位演出を実行可能であり、
前記複数種類の単位演出のうち一部の単位演出しか実行されない場合は、
前記複数種類の単位演出のうち前記一部の単位演出とは別の単位演出に係る情報を表示する前記別表示演出を実行可能である
ことを特徴とする遊技機。
【０１６２】
このような遊技機では、「実行順序が予め定められた複数種類の単位演出を実行可能である」こととしているが、遊技者の中には、このことを認識していない者も存在する可能性がある。そこで、本遊技機では、複数種類の単位演出のうち一部の単位演出しか実行されない場合は、「複数種類の単位演出のうち一部の単位演出とは別の単位演出」に係る情報を表示する「別表示演出」を実行することとしている。こうすると、複数種類の単位演出のうち一部の単位演出しか実行されないタイミング、すなわち、複数種類の単位演出のうち一部の単位演出の内容を遊技者がより明確に覚えているタイミングで、「複数種類の単位演出として別の単位演出も行われる」ことを遊技者に認識させることができる。この結果、複数種類の単位演出の内容をより深く遊技者に理解させることができ、遊技興趣を高めることが可能となる。
【０１６３】
＜遊技機Ａ３＞
遊技機Ａ２において、
前記別表示演出では、予め定められた前記実行順序が前記一部の単位演出よりも後である前記別の単位演出に係る情報を表示する
ことを特徴とする遊技機。
【０１６４】
このような遊技機では一般的に、「予め定められた実行順序がより後の単位演出」が行われた場合の方が、識別情報が特定態様で表示される可能性が高くなり易い。もっとも、遊技者の中には、「予め定められた実行順序がより後の単位演出」の内容を理解しておらず、該単位演出が実際に行われても、その単位演出が「予め定められた実行順序がより後の単位演出」であるのか否かを認識していない者も存在する可能性がある。そこで、本遊技機では、別表示演出において、「予め定められた実行順序がより後の単位演出」、すなわち、実際に行われた単位演出よりも実行順序が後の単位演出に係る情報を表示することとした。こうすると、「予め定められた実行順序がより後の単位演出」を遊技者に認識させることができ、ひいては、複数種類の単位演出の内容をより深く遊技者に理解させることができ、遊技興趣を高めることが可能となる。
【０１６５】
＜遊技機Ａ４＞
遊技機Ａ２または遊技機Ａ３において、
前記別表示演出では、前記別の単位演出が行われる様子を表示する
ことを特徴とする遊技機。
【０１６６】
このような遊技機では、別表示演出では、別の単位演出が行われる様子を表示するので、別の単位演出を遊技者が認識し易くなり、ひいては、複数種類の単位演出の内容をより深く遊技者に理解させることができ、遊技興趣を高めることが可能となる。
【０１６７】
＜遊技機Ａ５＞
遊技機Ａ２乃至遊技機Ａ４の何れか１つの遊技機において、
前記識別情報の変動表示が１回行われる間に、前記複数種類の単位演出のうち一部の単位演出しか実行されない場合は、
次回の前記識別情報の変動表示が開始された後であっても、該識別情報の変動表示に並行して前記別表示演出を実行可能である
ことを特徴とする遊技機。
【０１６８】
このような遊技機では、次回の識別情報の変動表示が開始された後であっても、別表示演出を行うことができるので、別表示演出の時間的制限を抑えることができる。このため、長い時間に亘って別表示演出を行うことができるので、複数種類の単位演出の内容をより深く遊技者に理解させることができ、遊技興趣を高めることが可能となる。
【０１６９】
＜遊技機Ａ６＞
遊技機Ａ５において、
複数回の前記識別情報の変動表示に並行して、前記別表示演出を実行可能である
ことを特徴とする遊技機。
【０１７０】
このような遊技機では、複数回の識別情報の変動表示に並行して、別表示演出を行うことができるので、別表示演出の時間的制限を更に抑えることができる。このため、更に長い時間に亘って別表示演出を行うことができるので、演出の内容をより深く遊技者に理解させることができ、遊技興趣を高めることが可能となる。
【０１７１】
＜遊技機Ａ７＞
遊技機Ａ５または遊技機Ａ６において、
前記別表示演出の実行中は、前記別表示演出の実行中でない場合よりも前記識別情報を小さく表示することが可能である
ことを特徴とする遊技機。
【０１７２】
このような遊技機では、別表示演出の実行中は、別表示演出の実行中でない場合よりも識別情報を小さく表示するので、遊技者が別表示演出を認識し易くすることができる。このため、演出の内容をより深く遊技者に理解させることができ、遊技興趣を高めることが可能となる。
【０１７３】
＜遊技機Ａ８＞
遊技機Ａ２乃至遊技機Ａ７の何れか１つの遊技機において、
前記別表示演出を実行するか否かを遊技者に選択させることが可能であり、
前記別表示演出を実行することを遊技者が選択した場合に、前記別表示演出を実行可能である
ことを特徴とする遊技機。
【０１７４】
複数種類の単位演出の内容を理解している遊技者の中には、別表示演出を煩わしく感じる者も存在する可能性がある。この点、本遊技機では、別表示演出を実行するか否かを遊技者に選択させることができるので、遊技者が別表示演出を煩わしく感じることを抑制することが可能となる。
【０１７５】
＜遊技機Ａ９＞
遊技機Ａ８において、
前記識別情報の変動表示が１回行われる間に、前記複数種類の単位演出のうち一部の単位演出しか実行されない場合に、
前記別表示演出を実行するか否かを遊技者に選択させることが可能である
ことを特徴とする遊技機。
【０１７６】
遊技者の中には、単位演出が行われた状況（例えば、実行された単位演出の種類など）に応じて別表示演出の実行を所望する者も存在する可能性がある。この点、本遊技機では、一部の単位演出が行われたタイミングで、別表示演出を実行するか否かを選択させることができるので、遊技者の要求に応じた別表示演出を実行することが可能となる。
【０１７７】
＜遊技機Ａ１０＞
遊技機Ａ２乃至遊技機Ａ９の何れか１つの遊技機において、
前記別表示演出を実行した場合は、所定の解除条件が成立するまでは、該別表示演出と内容が同一の前記別表示演出は実行しない
ことを特徴とする遊技機。
【０１７８】
遊技者の中には、同一内容の別表示演出が何回も行われると、別表示演出を煩わしく感じる者も存在する可能性がある。この点、本遊技機では、別表示演出を実行した場合は、所定の解除条件が成立するまでは、該別表示演出と内容が同一の別表示演出は実行しないこととした。このため、別表示演出を遊技者が煩わしく感じることを抑制することが可能となる。
【産業上の利用可能性】
【０１７９】
本発明は、遊技ホールで用いられる遊技機に利用することができる。
【符号の説明】
【０１８０】
１…パチンコ機（遊技機）、２０…遊技盤、２８…大入賞口（可変入球口）、４０…演出用開口部、４１…演出表示装置、２００…主制御基板、２０１…ＣＰＵ（特典付与手段、識別情報表示手段、特定遊技実行手段）、２２０…サブ制御基板、２２１…ＣＰＵ（識別情報表示手段）、２２３…ＲＡＭ（実行記憶手段）。
【図１】
2020203207.tif 000003
【図２】
2020203207.tif 000004
【図３】
2020203207.tif 000005
【図４】
2020203207.tif 000006
【図５】
2020203207.tif 000007
【図６】
2020203207.tif 000008
【図７】
2020203207.tif 000009
【図８】
2020203207.tif 000010
【図９】
2020203207.tif 000011
【図１０】
2020203207.tif 000012
【図１１】
2020203207.tif 000013
【図１２】
2020203207.tif 000014
【図１３】
2020203207.tif 000015
【図１４】
2020203207.tif 000016
【図１５】
2020203207.tif 000017
【図１６】
2020203207.tif 000018
【図１７】
2020203207.tif 000019
【図１８】
2020203207.tif 000020
【図１９】
2020203207.tif 000021
【図２０】
2020203207.tif 000022
【図２１】
2020203207.tif 000023
【図２２】
2020203207.tif 000024